(57)【要約】【課題】導光レンズの出光部の出光面に輝線および輝点を形成すると共に、ＬＥＤ光源の明るさを変更する必要なく輝線の明るさを変化させる。【解決手段】導光レンズ3の入光部3aからの光を出光部3bの側に内面反射する反射部3cがそれらの間に配置されたＬＥＤ照明装置100において、出光部3bの出光面3b2に対向する観察位置VPから出光面3b2を見た時、入光部3aと概略点状に光って見えるＬＥＤ光源1aとを対向させるモードでは、ＬＥＤ光源1aからの光によって、プリズムカット3b1aの稜線3b1a1に概略垂直な向きに延びている輝線BL1aが出光面3b2に形成されると共に、ＬＥＤ光源1aから照射され、リフレクタ4の反射面4a1によって反射された光によって、輝点Paa1が出光面3b2に形成され、出光部3bの反射面3b1とＬＥＤ光源1aとを対向させるモードでは、輝線BLa1より暗い輝線BLa2が出光面3b2に形成される。【選択図】図２
2013161573.tif 000002
【特許請求の範囲】
【請求項１】
概略点状に光って見えるＬＥＤ光源（１ａ）と、ＬＥＤ光源（１ａ）からの光を導光する導光レンズ（３）とを具備し、
ＬＥＤ光源（１ａ）からの光が入光する入光部（３ａ）と、導光レンズ（３）によって導光された光が出光する出光部（３ｂ）とを導光レンズ（３）に形成し、
入光部（３ａ）からの光を出光部（３ｂ）の側に内面反射する反射部（３ｃ）を入光部（３ａ）と出光部（３ｂ）との間に配置し、
導光レンズ（３）を反射部（３ｃ）の位置で屈曲させ、
導光レンズ（３）の出光部（３ｂ）の表面のうち、ＬＥＤ光源（１ａ）の反対側の表面に出光面（３ｂ２）を形成し、
導光レンズ（３）の出光部（３ｂ）の表面のうち、ＬＥＤ光源（１ａ）の側の表面に反射面（３ｂ１）を形成し、
導光レンズ（３）の出光部（３ｂ）と反射部（３ｃ）との境界線（３ｂｃ）に概略平行に延びている稜線（３ｂ１ａ１）を有するプリズムカット（３ｂ１ａ）を、導光レンズ（３）の出光部（３ｂ）の反射面（３ｂ１）に形成したＬＥＤ照明装置（１００）において、
導光レンズ（３）の出光部（３ｂ）を概略板状に形成し、
反射面（４ａ１）を有するリフレクタ（４）を設け、
リフレクタ（４）を導光レンズ（３）の出光部（３ｂ）の反射面（３ｂ１）に対向させて配置し、
導光レンズ（３）をＬＥＤ光源（１ａ）およびリフレクタ（４）に対して移動可能に構成し、
導光レンズ（３）の入光部（３ａ）とＬＥＤ光源（１ａ）とが対向せしめられる第１モードと、導光レンズ（３）の出光部（３ｂ）の反射面（３ｂ１）とＬＥＤ光源（１ａ）とが対向せしめられる第２モードとを設け、
第１モードでは、導光レンズ（３）の出光部（３ｂ）の出光面（３ｂ２）に対向する観察位置（ＶＰ）から導光レンズ（３）の出光部（３ｂ）の出光面（３ｂ２）を見た時に、
ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成されると共に、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、輝点（Ｐａａ１）が導光レンズ（３）の出光部（３ｂ）の出光面（３ｂ２）に形成され、
第２モードでは、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が第１モードより減少し、その結果、観察位置（ＶＰ）から導光レンズ（３）の出光部（３ｂ）の出光面（３ｂ２）を見た時に、
ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬａ２）であって、第１輝線（ＢＬａ１）より暗い第２輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第２輝線（ＢＬａ２）が形成されないことを特徴とするＬＥＤ照明装置（１００）。
【請求項２】
概略点状に光って見えるＬＥＤ光源（１ａ）と、ＬＥＤ光源（１ａ）からの光を導光する導光レンズ（３）とを具備し、
ＬＥＤ光源（１ａ）からの光が入光する入光部（３ａ）と、導光レンズ（３）によって導光された光が出光する出光部（３ｂ）とを導光レンズ（３）に形成し、
入光部（３ａ）からの光を出光部（３ｂ）の側に内面反射する反射部（３ｃ）を入光部（３ａ）と出光部（３ｂ）との間に配置し、
導光レンズ（３）を反射部（３ｃ）の位置で屈曲させ、
導光レンズ（３）の出光部（３ｂ）の表面のうち、ＬＥＤ光源（１ａ）の反対側の表面に出光面（３ｂ２）を形成し、
導光レンズ（３）の出光部（３ｂ）の表面のうち、ＬＥＤ光源（１ａ）の側の表面に反射面（３ｂ１）を形成し、
導光レンズ（３）の出光部（３ｂ）と反射部（３ｃ）との境界線（３ｂｃ）に概略平行に延びている稜線（３ｂ１ａ１）を有するプリズムカット（３ｂ１ａ）を、導光レンズ（３）の出光部（３ｂ）の反射面（３ｂ１）に形成したＬＥＤ照明装置（１００）において、
導光レンズ（３）の出光部（３ｂ）を概略板状に形成し、
格子状に配列された第１反射面（４ａ１）と第２反射面（４ａ２）と第３反射面（４ｂ１）と第４反射面（４ｂ２）とを有するリフレクタ（４）を設け、
リフレクタ（４）を導光レンズ（３）の出光部（３ｂ）の反射面（３ｂ１）に対向させて配置し、
導光レンズ（３）をＬＥＤ光源（１ａ）およびリフレクタ（４）に対して移動可能に構成し、
導光レンズ（３）の入光部（３ａ）とＬＥＤ光源（１ａ）とが対向せしめられる第１モードと、導光レンズ（３）の出光部（３ｂ）の反射面（３ｂ１）とＬＥＤ光源（１ａ）とが対向せしめられる第２モードとを設け、
第１モードでは、導光レンズ（３）の出光部（３ｂ）の出光面（３ｂ２）に対向する観察位置（ＶＰ）から導光レンズ（３）の出光部（３ｂ）の出光面（３ｂ２）を見た時に、
ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成され、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第１輝点（Ｐａａ１）が導光レンズ（３）の出光部（３ｂ）の出光面（３ｂ２）に形成され、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第２輝点（Ｐａａ２）が導光レンズ（３）の出光部（３ｂ）の出光面（３ｂ２）に形成され、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第３輝点（Ｐａｂ１）が導光レンズ（３）の出光部（３ｂ）の出光面（３ｂ２）に形成され、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第４輝点（Ｐａｂ２）が導光レンズ（３）の出光部（３ｂ）の出光面（３ｂ２）に形成され、
第２モードでは、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が第１モードより減少し、その結果、観察位置（ＶＰ）から導光レンズ（３）の出光部（３ｂ）の出光面（３ｂ２）を見た時に、
ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬａ２）であって、第１輝線（ＢＬａ１）より暗い第２輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第２輝線（ＢＬａ２）が形成されないことを特徴とするＬＥＤ照明装置（１００）。
【請求項３】
概略点状に光って見える第１ＬＥＤ光源（１ａ）と、概略点状に光って見える第２ＬＥＤ光源（１ｂ）と、第１ＬＥＤ光源（１ａ）からの光および第２ＬＥＤ光源（１ｂ）からの光を導光する導光レンズ（３）とを具備し、
第１ＬＥＤ光源（１ａ）からの光および第２ＬＥＤ光源（１ｂ）からの光が入光する入光部（３ａ）と、導光レンズ（３）によって導光された光が出光する出光部（３ｂ）とを導光レンズ（３）に形成し、
入光部（３ａ）からの光を出光部（３ｂ）の側に内面反射する反射部（３ｃ）を入光部（３ａ）と出光部（３ｂ）との間に配置し、
導光レンズ（３）を反射部（３ｃ）の位置で屈曲させ、
導光レンズ（３）の出光部（３ｂ）の表面のうち、第１ＬＥＤ光源（１ａ）および第２ＬＥＤ光源（１ｂ）の反対側の表面に出光面（３ｂ２）を形成し、
導光レンズ（３）の出光部（３ｂ）の表面のうち、第１ＬＥＤ光源（１ａ）および第２ＬＥＤ光源（１ｂ）の側の表面に反射面（３ｂ１）を形成し、
導光レンズ（３）の出光部（３ｂ）と反射部（３ｃ）との境界線（３ｂｃ）に概略平行に延びている稜線（３ｂ１ａ１）を有するプリズムカット（３ｂ１ａ）を、導光レンズ（３）の出光部（３ｂ）の反射面（３ｂ１）に形成したＬＥＤ照明装置（１００）において、
導光レンズ（３）の出光部（３ｂ）を概略板状に形成し、
格子状に配列された第１反射面（４ａ１）と第２反射面（４ａ２）と第３反射面（４ｂ１）と第４反射面（４ｂ２）とを有するリフレクタ（４）を設け、
リフレクタ（４）を導光レンズ（３）の出光部（３ｂ）の反射面（３ｂ１）に対向させて配置し、
導光レンズ（３）を第１ＬＥＤ光源（１ａ）、第２ＬＥＤ光源（１ｂ）およびリフレクタ（４）に対して移動可能に構成し、
導光レンズ（３）の入光部（３ａ）と第１ＬＥＤ光源（１ａ）および第２ＬＥＤ光源（１ｂ）とが対向せしめられる第１モードと、導光レンズ（３）の出光部（３ｂ）の反射面（３ｂ１）と第１ＬＥＤ光源（１ａ）および第２ＬＥＤ光源（１ｂ）とが対向せしめられる第２モードとを設け、
第１モードでは、導光レンズ（３）の出光部（３ｂ）の出光面（３ｂ２）に対向する観察位置（ＶＰ）から導光レンズ（３）の出光部（３ｂ）の出光面（３ｂ２）を見た時に、
第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成され、
第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬｂ１）が、導光レンズ（３）の出光部（３ｂ）の出光面（３ｂ２）に形成され、
第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第１輝点（Ｐａａ１）が導光レンズ（３）の出光部（３ｂ）の出光面（３ｂ２）に形成され、
第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第２輝点（Ｐａａ２）が導光レンズ（３）の出光部（３ｂ）の出光面（３ｂ２）に形成され、
第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第３輝点（Ｐａｂ１）が導光レンズ（３）の出光部（３ｂ）の出光面（３ｂ２）に形成され、
第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第４輝点（Ｐａｂ２）が導光レンズ（３）の出光部（３ｂ）の出光面（３ｂ２）に形成され、
第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第５輝点（Ｐｂａ１）が導光レンズ（３）の出光部（３ｂ）の出光面（３ｂ２）に形成され、
第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第６輝点（Ｐｂａ２）が導光レンズ（３）の出光部（３ｂ）の出光面（３ｂ２）に形成され、
第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第７輝点（Ｐｂｂ１）が導光レンズ（３）の出光部（３ｂ）の出光面（３ｂ２）に形成され、
第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第８輝点（Ｐｂｂ２）が導光レンズ（３）の出光部（３ｂ）の出光面（３ｂ２）に形成され、
第２モードでは、第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が第１モードより減少すると共に、第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が第１モードより減少し、その結果、観察位置（ＶＰ）から導光レンズ（３）の出光部（３ｂ）の出光面（３ｂ２）を見た時に、
第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第３輝線（ＢＬａ２）であって、第１輝線（ＢＬａ１）より暗い第３輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第３輝線（ＢＬａ２）が形成されず、
第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第４輝線（ＢＬｂ２）であって、第２輝線（ＢＬｂ１）より暗い第４輝線（ＢＬｂ２）が、導光レンズ（３）の出光部（３ｂ）の出光面（３ｂ２）に形成されるか、あるいは、導光レンズ（３）の出光部（３ｂ）の出光面（３ｂ２）に第４輝線（ＢＬｂ２）が形成されないことを特徴とするＬＥＤ照明装置（１００）。
【発明の詳細な説明】
【技術分野】
【０００１】
本発明は、概略点状に光って見えるＬＥＤ光源と導光レンズとが設けられ、導光レンズの入光部からの光を導光レンズの出光部の側に内面反射する反射部が導光レンズの入光部と出光部との間に配置され、導光レンズの出光部の反射面にプリズムカットが形成され、導光レンズの出光部の出光面に対向する観察位置から導光レンズの出光部の出光面を見た時に、ＬＥＤ光源からの光によって、導光レンズの出光部の反射面のプリズムカットの稜線に概略垂直な向きに延びている輝線が導光レンズの出光部の出光面に形成されるＬＥＤ照明装置に関する。
【０００２】
特に、本発明は、輝線が形成される導光レンズの出光部の出光面に輝点を形成することができると共に、ＬＥＤ光源の明るさを変更する必要なく、導光レンズの出光部の出光面に形成される輝線の明るさを変化させることができるＬＥＤ照明装置に関する。
【背景技術】
【０００３】
従来から、概略点状に光って見えるＬＥＤ光源と導光レンズとが設けられ、導光レンズの入光部からの光を導光レンズの出光部の側に内面反射する反射部が導光レンズの入光部と出光部との間に配置され、導光レンズの出光部の反射面にプリズムカットが形成され、導光レンズの出光部の出光面に対向する観察位置から導光レンズの出光部の出光面を見た時に、ＬＥＤ光源からの光によって、導光レンズの出光部の反射面のプリズムカットの稜線に概略垂直な向きに延びている輝線が導光レンズの出光部の出光面に形成されるＬＥＤ照明装置が知られている。この種のＬＥＤ照明装置の例としては、例えば特許文献１（特開２００３−２４０６１２号公報）の図２に記載されたものがある。特許文献１の図２に記載されたＬＥＤ照明装置では、導光レンズの反射部および出光部が、車載メーター針の発光部によって構成され、導光レンズの入光部が、車載メーター針の回転軸によって構成されている。
【先行技術文献】
【特許文献】
【０００４】
【特許文献１】特開２００３−２４０６１２号公報
【発明の概要】
【発明が解決しようとする課題】
【０００５】
ところで、特許文献１の図２に記載されたＬＥＤ照明装置では、導光レンズの出光部の出光面に輝線を形成することができるものの、例えば輝点などのような輝線以外のものを導光レンズの出光部の出光面に形成することができない。また、特許文献１の図２に記載されたＬＥＤ照明装置では、仮に、例えば昼間と夜間とで、導光レンズの出光部の出光面に形成される輝線の明るさを変化させる必要がある場合、ＬＥＤ光源の明るさを変更できるようにＬＥＤ光源を構成する必要がある。
【０００６】
前記問題点に鑑み、本発明は、導光レンズの出光部の出光面に、輝線のみならず、輝点も形成することができ、更に、ＬＥＤ光源の明るさを変更する必要なく、導光レンズの出光部の出光面に形成される輝線の明るさを変化させることができるＬＥＤ照明装置を提供することを目的とする。
【課題を解決するための手段】
【０００７】
請求項１に記載の発明によれば、概略点状に光って見えるＬＥＤ光源（１ａ）と、ＬＥＤ光源（１ａ）からの光を導光する導光レンズ（３）とを具備し、
ＬＥＤ光源（１ａ）からの光が入光する入光部（３ａ）と、導光レンズ（３）によって導光された光が出光する出光部（３ｂ）とを導光レンズ（３）に形成し、
入光部（３ａ）からの光を出光部（３ｂ）の側に内面反射する反射部（３ｃ）を入光部（３ａ）と出光部（３ｂ）との間に配置し、
導光レンズ（３）を反射部（３ｃ）の位置で屈曲させ、
導光レンズ（３）の出光部（３ｂ）の表面のうち、ＬＥＤ光源（１ａ）の反対側の表面に出光面（３ｂ２）を形成し、
導光レンズ（３）の出光部（３ｂ）の表面のうち、ＬＥＤ光源（１ａ）の側の表面に反射面（３ｂ１）を形成し、
導光レンズ（３）の出光部（３ｂ）と反射部（３ｃ）との境界線（３ｂｃ）に概略平行に延びている稜線（３ｂ１ａ１）を有するプリズムカット（３ｂ１ａ）を、導光レンズ（３）の出光部（３ｂ）の反射面（３ｂ１）に形成したＬＥＤ照明装置（１００）において、
導光レンズ（３）の出光部（３ｂ）を概略板状に形成し、
反射面（４ａ１）を有するリフレクタ（４）を設け、
リフレクタ（４）を導光レンズ（３）の出光部（３ｂ）の反射面（３ｂ１）に対向させて配置し、
導光レンズ（３）をＬＥＤ光源（１ａ）およびリフレクタ（４）に対して移動可能に構成し、
導光レンズ（３）の入光部（３ａ）とＬＥＤ光源（１ａ）とが対向せしめられる第１モードと、導光レンズ（３）の出光部（３ｂ）の反射面（３ｂ１）とＬＥＤ光源（１ａ）とが対向せしめられる第２モードとを設け、
第１モードでは、導光レンズ（３）の出光部（３ｂ）の出光面（３ｂ２）に対向する観察位置（ＶＰ）から導光レンズ（３）の出光部（３ｂ）の出光面（３ｂ２）を見た時に、
ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成されると共に、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、輝点（Ｐａａ１）が導光レンズ（３）の出光部（３ｂ）の出光面（３ｂ２）に形成され、
第２モードでは、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が第１モードより減少し、その結果、観察位置（ＶＰ）から導光レンズ（３）の出光部（３ｂ）の出光面（３ｂ２）を見た時に、
ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬａ２）であって、第１輝線（ＢＬａ１）より暗い第２輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第２輝線（ＢＬａ２）が形成されないことを特徴とするＬＥＤ照明装置（１００）が提供される。
【０００８】
請求項２に記載の発明によれば、概略点状に光って見えるＬＥＤ光源（１ａ）と、ＬＥＤ光源（１ａ）からの光を導光する導光レンズ（３）とを具備し、
ＬＥＤ光源（１ａ）からの光が入光する入光部（３ａ）と、導光レンズ（３）によって導光された光が出光する出光部（３ｂ）とを導光レンズ（３）に形成し、
入光部（３ａ）からの光を出光部（３ｂ）の側に内面反射する反射部（３ｃ）を入光部（３ａ）と出光部（３ｂ）との間に配置し、
導光レンズ（３）を反射部（３ｃ）の位置で屈曲させ、
導光レンズ（３）の出光部（３ｂ）の表面のうち、ＬＥＤ光源（１ａ）の反対側の表面に出光面（３ｂ２）を形成し、
導光レンズ（３）の出光部（３ｂ）の表面のうち、ＬＥＤ光源（１ａ）の側の表面に反射面（３ｂ１）を形成し、
導光レンズ（３）の出光部（３ｂ）と反射部（３ｃ）との境界線（３ｂｃ）に概略平行に延びている稜線（３ｂ１ａ１）を有するプリズムカット（３ｂ１ａ）を、導光レンズ（３）の出光部（３ｂ）の反射面（３ｂ１）に形成したＬＥＤ照明装置（１００）において、
導光レンズ（３）の出光部（３ｂ）を概略板状に形成し、
格子状に配列された第１反射面（４ａ１）と第２反射面（４ａ２）と第３反射面（４ｂ１）と第４反射面（４ｂ２）とを有するリフレクタ（４）を設け、
リフレクタ（４）を導光レンズ（３）の出光部（３ｂ）の反射面（３ｂ１）に対向させて配置し、
導光レンズ（３）をＬＥＤ光源（１ａ）およびリフレクタ（４）に対して移動可能に構成し、
導光レンズ（３）の入光部（３ａ）とＬＥＤ光源（１ａ）とが対向せしめられる第１モードと、導光レンズ（３）の出光部（３ｂ）の反射面（３ｂ１）とＬＥＤ光源（１ａ）とが対向せしめられる第２モードとを設け、
第１モードでは、導光レンズ（３）の出光部（３ｂ）の出光面（３ｂ２）に対向する観察位置（ＶＰ）から導光レンズ（３）の出光部（３ｂ）の出光面（３ｂ２）を見た時に、
ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成され、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第１輝点（Ｐａａ１）が導光レンズ（３）の出光部（３ｂ）の出光面（３ｂ２）に形成され、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第２輝点（Ｐａａ２）が導光レンズ（３）の出光部（３ｂ）の出光面（３ｂ２）に形成され、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第３輝点（Ｐａｂ１）が導光レンズ（３）の出光部（３ｂ）の出光面（３ｂ２）に形成され、
ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第４輝点（Ｐａｂ２）が導光レンズ（３）の出光部（３ｂ）の出光面（３ｂ２）に形成され、
第２モードでは、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が第１モードより減少し、その結果、観察位置（ＶＰ）から導光レンズ（３）の出光部（３ｂ）の出光面（３ｂ２）を見た時に、
ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬａ２）であって、第１輝線（ＢＬａ１）より暗い第２輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第２輝線（ＢＬａ２）が形成されないことを特徴とするＬＥＤ照明装置（１００）が提供される。
【０００９】
請求項３に記載の発明によれば、概略点状に光って見える第１ＬＥＤ光源（１ａ）と、概略点状に光って見える第２ＬＥＤ光源（１ｂ）と、第１ＬＥＤ光源（１ａ）からの光および第２ＬＥＤ光源（１ｂ）からの光を導光する導光レンズ（３）とを具備し、
第１ＬＥＤ光源（１ａ）からの光および第２ＬＥＤ光源（１ｂ）からの光が入光する入光部（３ａ）と、導光レンズ（３）によって導光された光が出光する出光部（３ｂ）とを導光レンズ（３）に形成し、
入光部（３ａ）からの光を出光部（３ｂ）の側に内面反射する反射部（３ｃ）を入光部（３ａ）と出光部（３ｂ）との間に配置し、
導光レンズ（３）を反射部（３ｃ）の位置で屈曲させ、
導光レンズ（３）の出光部（３ｂ）の表面のうち、第１ＬＥＤ光源（１ａ）および第２ＬＥＤ光源（１ｂ）の反対側の表面に出光面（３ｂ２）を形成し、
導光レンズ（３）の出光部（３ｂ）の表面のうち、第１ＬＥＤ光源（１ａ）および第２ＬＥＤ光源（１ｂ）の側の表面に反射面（３ｂ１）を形成し、
導光レンズ（３）の出光部（３ｂ）と反射部（３ｃ）との境界線（３ｂｃ）に概略平行に延びている稜線（３ｂ１ａ１）を有するプリズムカット（３ｂ１ａ）を、導光レンズ（３）の出光部（３ｂ）の反射面（３ｂ１）に形成したＬＥＤ照明装置（１００）において、
導光レンズ（３）の出光部（３ｂ）を概略板状に形成し、
格子状に配列された第１反射面（４ａ１）と第２反射面（４ａ２）と第３反射面（４ｂ１）と第４反射面（４ｂ２）とを有するリフレクタ（４）を設け、
リフレクタ（４）を導光レンズ（３）の出光部（３ｂ）の反射面（３ｂ１）に対向させて配置し、
導光レンズ（３）を第１ＬＥＤ光源（１ａ）、第２ＬＥＤ光源（１ｂ）およびリフレクタ（４）に対して移動可能に構成し、
導光レンズ（３）の入光部（３ａ）と第１ＬＥＤ光源（１ａ）および第２ＬＥＤ光源（１ｂ）とが対向せしめられる第１モードと、導光レンズ（３）の出光部（３ｂ）の反射面（３ｂ１）と第１ＬＥＤ光源（１ａ）および第２ＬＥＤ光源（１ｂ）とが対向せしめられる第２モードとを設け、
第１モードでは、導光レンズ（３）の出光部（３ｂ）の出光面（３ｂ２）に対向する観察位置（ＶＰ）から導光レンズ（３）の出光部（３ｂ）の出光面（３ｂ２）を見た時に、
第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成され、
第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬｂ１）が、導光レンズ（３）の出光部（３ｂ）の出光面（３ｂ２）に形成され、
第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第１輝点（Ｐａａ１）が導光レンズ（３）の出光部（３ｂ）の出光面（３ｂ２）に形成され、
第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第２輝点（Ｐａａ２）が導光レンズ（３）の出光部（３ｂ）の出光面（３ｂ２）に形成され、
第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第３輝点（Ｐａｂ１）が導光レンズ（３）の出光部（３ｂ）の出光面（３ｂ２）に形成され、
第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第４輝点（Ｐａｂ２）が導光レンズ（３）の出光部（３ｂ）の出光面（３ｂ２）に形成され、
第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第５輝点（Ｐｂａ１）が導光レンズ（３）の出光部（３ｂ）の出光面（３ｂ２）に形成され、
第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第６輝点（Ｐｂａ２）が導光レンズ（３）の出光部（３ｂ）の出光面（３ｂ２）に形成され、
第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第７輝点（Ｐｂｂ１）が導光レンズ（３）の出光部（３ｂ）の出光面（３ｂ２）に形成され、
第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第８輝点（Ｐｂｂ２）が導光レンズ（３）の出光部（３ｂ）の出光面（３ｂ２）に形成され、
第２モードでは、第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が第１モードより減少すると共に、第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が第１モードより減少し、その結果、観察位置（ＶＰ）から導光レンズ（３）の出光部（３ｂ）の出光面（３ｂ２）を見た時に、
第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第３輝線（ＢＬａ２）であって、第１輝線（ＢＬａ１）より暗い第３輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第３輝線（ＢＬａ２）が形成されず、
第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第４輝線（ＢＬｂ２）であって、第２輝線（ＢＬｂ１）より暗い第４輝線（ＢＬｂ２）が、導光レンズ（３）の出光部（３ｂ）の出光面（３ｂ２）に形成されるか、あるいは、導光レンズ（３）の出光部（３ｂ）の出光面（３ｂ２）に第４輝線（ＢＬｂ２）が形成されないことを特徴とするＬＥＤ照明装置（１００）が提供される。
【発明の効果】
【００１０】
請求項１に記載のＬＥＤ照明装置（１００）では、概略点状に光って見えるＬＥＤ光源（１ａ）と、ＬＥＤ光源（１ａ）からの光を導光する導光レンズ（３）とが設けられている。また、ＬＥＤ光源（１ａ）からの光が入光する入光部（３ａ）と、導光レンズ（３）によって導光された光が出光する出光部（３ｂ）とが、導光レンズ（３）に形成されている。更に、入光部（３ａ）からの光を出光部（３ｂ）の側に内面反射する反射部（３ｃ）が、入光部（３ａ）と出光部（３ｂ）との間に配置されている。
【００１１】
また、請求項１に記載のＬＥＤ照明装置（１００）では、導光レンズ（３）が反射部（３ｃ）の位置で屈曲せしめられている。更に、導光レンズ（３）の出光部（３ｂ）の表面のうち、ＬＥＤ光源（１ａ）の反対側の表面に出光面（３ｂ２）が形成されている。また、導光レンズ（３）の出光部（３ｂ）の表面のうち、ＬＥＤ光源（１ａ）の側の表面に反射面（３ｂ１）が形成されている。更に、導光レンズ（３）の出光部（３ｂ）と反射部（３ｃ）との境界線（３ｂｃ）に概略平行に延びている稜線（３ｂ１ａ１）を有するプリズムカット（３ｂ１ａ）が、導光レンズ（３）の出光部（３ｂ）の反射面（３ｂ１）に形成されている。
【００１２】
詳細には、請求項１に記載のＬＥＤ照明装置（１００）では、導光レンズ（３）の出光部（３ｂ）が概略板状に形成されている。更に、反射面（４ａ１）を有するリフレクタ（４）が設けられている。また、リフレクタ（４）が、導光レンズ（３）の出光部（３ｂ）の反射面（３ｂ１）に対向せしめられて配置されている。
【００１３】
更に、請求項１に記載のＬＥＤ照明装置（１００）では、導光レンズ（３）がＬＥＤ光源（１ａ）およびリフレクタ（４）に対して移動可能に構成されている。また、導光レンズ（３）の入光部（３ａ）とＬＥＤ光源（１ａ）とが対向せしめられる第１モードと、導光レンズ（３）の出光部（３ｂ）の反射面（３ｂ１）とＬＥＤ光源（１ａ）とが対向せしめられる第２モードとが設けられている。
【００１４】
具体的には、請求項１に記載のＬＥＤ照明装置（１００）では、第１モード時に、導光レンズ（３）の出光部（３ｂ）の出光面（３ｂ２）に対向する観察位置（ＶＰ）から導光レンズ（３）の出光部（３ｂ）の出光面（３ｂ２）を見ると、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成される。
【００１５】
また、請求項１に記載のＬＥＤ照明装置（１００）では、第１モード時に、観察位置（ＶＰ）から導光レンズ（３）の出光部（３ｂ）の出光面（３ｂ２）を見ると、ＬＥＤ光源（１ａ）から照射され、導光レンズ（３）の出光部（３ｂ）の反射面（３ｂ１）のプリズムカット（３ｂ１ａ）によって外面反射され、リフレクタ（４）の反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、輝点（Ｐａａ１）が導光レンズ（３）の出光部（３ｂ）の出光面（３ｂ２）に形成される。
【００１６】
そのため、請求項１に記載のＬＥＤ照明装置（１００）によれば、第１モード時に、第１輝線（ＢＬａ１）が形成される導光レンズ（３）の出光部（３ｂ）の出光面（３ｂ２）に輝点（Ｐａａ１）を形成することができる。すなわち、請求項１に記載のＬＥＤ照明装置（１００）によれば、第１モード時に、導光レンズ（３）の出光部（３ｂ）の出光面（３ｂ２）に、第１輝線（ＢＬａ２）のみならず、輝点（Ｐａａ１）も形成することができる。
【００１７】
一方、請求項１に記載のＬＥＤ照明装置（１００）では、第２モード時に、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が、第１モード時より減少する。
【００１８】
その結果、請求項１に記載のＬＥＤ照明装置（１００）では、第２モード時に、観察位置（ＶＰ）から導光レンズ（３）の出光部（３ｂ）の出光面（３ｂ２）を見ると、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬａ２）であって、第１輝線（ＢＬａ１）より暗い第２輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第２輝線（ＢＬａ２）が形成されない。
【００１９】
つまり、請求項１に記載のＬＥＤ照明装置（１００）によれば、ＬＥＤ光源（１ａ）の明るさを変更する必要なく、導光レンズ（３）の出光部（３ｂ）の出光面（３ｂ２）に形成される輝線（ＢＬａ１，ＢＬａ２）の明るさを第１モード時と第２モード時とで変化させることができる。
【００２０】
請求項２に記載のＬＥＤ照明装置（１００）では、概略点状に光って見えるＬＥＤ光源（１ａ）と、ＬＥＤ光源（１ａ）からの光を導光する導光レンズ（３）とが設けられている。また、ＬＥＤ光源（１ａ）からの光が入光する入光部（３ａ）と、導光レンズ（３）によって導光された光が出光する出光部（３ｂ）とが、導光レンズ（３）に形成されている。更に、入光部（３ａ）からの光を出光部（３ｂ）の側に内面反射する反射部（３ｃ）が、入光部（３ａ）と出光部（３ｂ）との間に配置されている。
【００２１】
また、請求項２に記載のＬＥＤ照明装置（１００）では、導光レンズ（３）が反射部（３ｃ）の位置で屈曲せしめられている。更に、導光レンズ（３）の出光部（３ｂ）の表面のうち、ＬＥＤ光源（１ａ）の反対側の表面に出光面（３ｂ２）が形成されている。また、導光レンズ（３）の出光部（３ｂ）の表面のうち、ＬＥＤ光源（１ａ）の側の表面に反射面（３ｂ１）が形成されている。更に、導光レンズ（３）の出光部（３ｂ）と反射部（３ｃ）との境界線（３ｂｃ）に概略平行に延びている稜線（３ｂ１ａ１）を有するプリズムカット（３ｂ１ａ）が、導光レンズ（３）の出光部（３ｂ）の反射面（３ｂ１）に形成されている。
【００２２】
詳細には、請求項２に記載のＬＥＤ照明装置（１００）では、導光レンズ（３）の出光部（３ｂ）が概略板状に形成されている。更に、格子状に配列された第１反射面（４ａ１）と第２反射面（４ａ２）と第３反射面（４ｂ１）と第４反射面（４ｂ２）とを有するリフレクタ（４）が設けられている。また、リフレクタ（４）が、導光レンズ（３）の出光部（３ｂ）の反射面（３ｂ１）に対向せしめられて配置されている。
【００２３】
更に、請求項２に記載のＬＥＤ照明装置（１００）では、導光レンズ（３）がＬＥＤ光源（１ａ）およびリフレクタ（４）に対して移動可能に構成されている。また、導光レンズ（３）の入光部（３ａ）とＬＥＤ光源（１ａ）とが対向せしめられる第１モードと、導光レンズ（３）の出光部（３ｂ）の反射面（３ｂ１）とＬＥＤ光源（１ａ）とが対向せしめられる第２モードとが設けられている。
【００２４】
具体的には、請求項２に記載のＬＥＤ照明装置（１００）では、第１モード時に、導光レンズ（３）の出光部（３ｂ）の出光面（３ｂ２）に対向する観察位置（ＶＰ）から導光レンズ（３）の出光部（３ｂ）の出光面（３ｂ２）を見ると、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成される。
【００２５】
また、請求項２に記載のＬＥＤ照明装置（１００）では、第１モード時に、観察位置（ＶＰ）から導光レンズ（３）の出光部（３ｂ）の出光面（３ｂ２）を見ると、ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第１輝点（Ｐａａ１）が導光レンズ（３）の出光部（３ｂ）の出光面（３ｂ２）に形成される。
【００２６】
更に、請求項２に記載のＬＥＤ照明装置（１００）では、第１モード時に、観察位置（ＶＰ）から導光レンズ（３）の出光部（３ｂ）の出光面（３ｂ２）を見ると、ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第２輝点（Ｐａａ２）が導光レンズ（３）の出光部（３ｂ）の出光面（３ｂ２）に形成される。
【００２７】
また、請求項２に記載のＬＥＤ照明装置（１００）では、第１モード時に、観察位置（ＶＰ）から導光レンズ（３）の出光部（３ｂ）の出光面（３ｂ２）を見ると、ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第３輝点（Ｐａｂ１）が導光レンズ（３）の出光部（３ｂ）の出光面（３ｂ２）に形成される。
【００２８】
更に、請求項２に記載のＬＥＤ照明装置（１００）では、第１モード時に、観察位置（ＶＰ）から導光レンズ（３）の出光部（３ｂ）の出光面（３ｂ２）を見ると、ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第４輝点（Ｐａｂ２）が導光レンズ（３）の出光部（３ｂ）の出光面（３ｂ２）に形成される。
【００２９】
そのため、請求項２に記載のＬＥＤ照明装置（１００）によれば、第１モード時に、第１輝線（ＢＬａ１）が形成される導光レンズ（３）の出光部（３ｂ）の出光面（３ｂ２）に複数の輝点（Ｐａａ１，Ｐａａ２，Ｐａｂ１，Ｐａｂ２）を形成することができる。すなわち、請求項２に記載のＬＥＤ照明装置（１００）によれば、第１モード時に、導光レンズ（３）の出光部（３ｂ）の出光面（３ｂ２）に、第１輝線（ＢＬａ２）のみならず、複数の輝点（Ｐａａ１，Ｐａａ２，Ｐａｂ１，Ｐａｂ２）も形成することができる。
【００３０】
一方、請求項２に記載のＬＥＤ照明装置（１００）では、第２モード時に、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が、第１モード時より減少する。
【００３１】
その結果、請求項２に記載のＬＥＤ照明装置（１００）では、第２モード時に、観察位置（ＶＰ）から導光レンズ（３）の出光部（３ｂ）の出光面（３ｂ２）を見ると、ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬａ２）であって、第１輝線（ＢＬａ１）より暗い第２輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第２輝線（ＢＬａ２）が形成されない。
【００３２】
つまり、請求項２に記載のＬＥＤ照明装置（１００）によれば、ＬＥＤ光源（１ａ）の明るさを変更する必要なく、導光レンズ（３）の出光部（３ｂ）の出光面（３ｂ２）に形成される輝線（ＢＬａ１，ＢＬａ２）の明るさを第１モード時と第２モード時とで変化させることができる。
【００３３】
請求項３に記載のＬＥＤ照明装置（１００）では、概略点状に光って見える第１ＬＥＤ光源（１ａ）と、概略点状に光って見える第２ＬＥＤ光源（１ｂ）と、第１ＬＥＤ光源（１ａ）からの光および第２ＬＥＤ光源（１ｂ）からの光を導光する導光レンズ（３）とが設けられている。また、第１ＬＥＤ光源（１ａ）からの光および第２ＬＥＤ光源（１ｂ）からの光が入光する入光部（３ａ）と、導光レンズ（３）によって導光された光が出光する出光部（３ｂ）とが、導光レンズ（３）に形成されている。更に、入光部（３ａ）からの光を出光部（３ｂ）の側に内面反射する反射部（３ｃ）が、入光部（３ａ）と出光部（３ｂ）との間に配置されている。
【００３４】
また、請求項３に記載のＬＥＤ照明装置（１００）では、導光レンズ（３）が反射部（３ｃ）の位置で屈曲せしめられている。更に、導光レンズ（３）の出光部（３ｂ）の表面のうち、第１ＬＥＤ光源（１ａ）および第２ＬＥＤ光源（１ｂ）の反対側の表面に出光面（３ｂ２）が形成されている。また、導光レンズ（３）の出光部（３ｂ）の表面のうち、第１ＬＥＤ光源（１ａ）および第２ＬＥＤ光源（１ｂ）の側の表面に反射面（３ｂ１）が形成されている。更に、導光レンズ（３）の出光部（３ｂ）と反射部（３ｃ）との境界線（３ｂｃ）に概略平行に延びている稜線（３ｂ１ａ１）を有するプリズムカット（３ｂ１ａ）が、導光レンズ（３）の出光部（３ｂ）の反射面（３ｂ１）に形成されている。
【００３５】
詳細には、請求項３に記載のＬＥＤ照明装置（１００）では、導光レンズ（３）の出光部（３ｂ）が概略板状に形成されている。更に、格子状に配列された第１反射面（４ａ１）と第２反射面（４ａ２）と第３反射面（４ｂ１）と第４反射面（４ｂ２）とを有するリフレクタ（４）が設けられている。また、リフレクタ（４）が、導光レンズ（３）の出光部（３ｂ）の反射面（３ｂ１）に対向せしめられて配置されている。
【００３６】
更に、請求項３に記載のＬＥＤ照明装置（１００）では、導光レンズ（３）が第１ＬＥＤ光源（１ａ）、第２ＬＥＤ光源（１ｂ）およびリフレクタ（４）に対して移動可能に構成されている。また、導光レンズ（３）の入光部（３ａ）と第１ＬＥＤ光源（１ａ）および第２ＬＥＤ光源（１ｂ）とが対向せしめられる第１モードと、導光レンズ（３）の出光部（３ｂ）の反射面（３ｂ１）と第１ＬＥＤ光源（１ａ）および第２ＬＥＤ光源（１ｂ）とが対向せしめられる第２モードとが設けられている。
【００３７】
具体的には、請求項３に記載のＬＥＤ照明装置（１００）では、第１モード時に、導光レンズ（３）の出光部（３ｂ）の出光面（３ｂ２）に対向する観察位置（ＶＰ）から導光レンズ（３）の出光部（３ｂ）の出光面（３ｂ２）を見ると、第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第１輝線（ＢＬａ１）が、導光レンズ（３）の出光部（３ｂ）の出光面（３ｂ２）に形成される。
【００３８】
また、請求項３に記載のＬＥＤ照明装置（１００）では、第１モード時に、観察位置（ＶＰ）から導光レンズ（３）の出光部（３ｂ）の出光面（３ｂ２）を見ると、第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第２輝線（ＢＬｂ１）が、導光レンズ（３）の出光部（３ｂ）の出光面（３ｂ２）に形成される。
【００３９】
更に、請求項３に記載のＬＥＤ照明装置（１００）では、第１モード時に、観察位置（ＶＰ）から導光レンズ（３）の出光部（３ｂ）の出光面（３ｂ２）を見ると、第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第１輝点（Ｐａａ１）が導光レンズ（３）の出光部（３ｂ）の出光面（３ｂ２）に形成される。
【００４０】
また、請求項３に記載のＬＥＤ照明装置（１００）では、第１モード時に、観察位置（ＶＰ）から導光レンズ（３）の出光部（３ｂ）の出光面（３ｂ２）を見ると、第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第２輝点（Ｐａａ２）が導光レンズ（３）の出光部（３ｂ）の出光面（３ｂ２）に形成される。
【００４１】
更に、請求項３に記載のＬＥＤ照明装置（１００）では、第１モード時に、観察位置（ＶＰ）から導光レンズ（３）の出光部（３ｂ）の出光面（３ｂ２）を見ると、第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第３輝点（Ｐａｂ１）が導光レンズ（３）の出光部（３ｂ）の出光面（３ｂ２）に形成される。
【００４２】
また、請求項３に記載のＬＥＤ照明装置（１００）では、第１モード時に、観察位置（ＶＰ）から導光レンズ（３）の出光部（３ｂ）の出光面（３ｂ２）を見ると、第１ＬＥＤ光源（１ａ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第４輝点（Ｐａｂ２）が導光レンズ（３）の出光部（３ｂ）の出光面（３ｂ２）に形成される。
【００４３】
更に、請求項３に記載のＬＥＤ照明装置（１００）では、第１モード時に、観察位置（ＶＰ）から導光レンズ（３）の出光部（３ｂ）の出光面（３ｂ２）を見ると、第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第１反射面（４ａ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第５輝点（Ｐｂａ１）が導光レンズ（３）の出光部（３ｂ）の出光面（３ｂ２）に形成される。
【００４４】
また、請求項３に記載のＬＥＤ照明装置（１００）では、第１モード時に、観察位置（ＶＰ）から導光レンズ（３）の出光部（３ｂ）の出光面（３ｂ２）を見ると、第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第２反射面（４ａ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第６輝点（Ｐｂａ２）が導光レンズ（３）の出光部（３ｂ）の出光面（３ｂ２）に形成される。
【００４５】
更に、請求項３に記載のＬＥＤ照明装置（１００）では、第１モード時に、観察位置（ＶＰ）から導光レンズ（３）の出光部（３ｂ）の出光面（３ｂ２）を見ると、第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第３反射面（４ｂ１）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第７輝点（Ｐｂｂ１）が導光レンズ（３）の出光部（３ｂ）の出光面（３ｂ２）に形成される。
【００４６】
また、請求項３に記載のＬＥＤ照明装置（１００）では、第１モード時に、観察位置（ＶＰ）から導光レンズ（３）の出光部（３ｂ）の出光面（３ｂ２）を見ると、第２ＬＥＤ光源（１ｂ）から照射され、導光レンズ（３）の出光部（３ｂ）の反射面（３ｂ１）のプリズムカット（３ｂ１ａ）によって外面反射され、リフレクタ（４）の第４反射面（４ｂ２）によって反射され、導光レンズ（３）の出光部（３ｂ）の反射面（３ｂ１）のプリズムカット（３ｂ１ａ）を透過し、導光レンズ（３）の出光部（３ｂ）の出光面（３ｂ２）を透過した光によって、第８輝点（Ｐｂｂ２）が導光レンズ（３）の出光部（３ｂ）の出光面（３ｂ２）に形成される。
【００４７】
そのため、請求項３に記載のＬＥＤ照明装置（１００）によれば、第１モード時に、第１輝線（ＢＬａ１）および第２輝線（ＢＬｂ１）が形成される導光レンズ（３）の出光部（３ｂ）の出光面（３ｂ２）に複数の輝点（Ｐａａ１，Ｐａａ２，Ｐａｂ１，Ｐａｂ２，Ｐｂａ１，Ｐｂａ２，Ｐｂｂ１，Ｐｂｂ２）を形成することができる。すなわち、請求項２に記載のＬＥＤ照明装置（１００）によれば、第１モード時に、導光レンズ（３）の出光部（３ｂ）の出光面（３ｂ２）に、第１輝線（ＢＬａ２）および第２輝線（ＢＬｂ１）のみならず、複数の輝点（Ｐａａ１，Ｐａａ２，Ｐａｂ１，Ｐａｂ２，Ｐｂａ１，Ｐｂａ２，Ｐｂｂ１，Ｐｂｂ２）も形成することができる。
【００４８】
一方、請求項３に記載のＬＥＤ照明装置（１００）では、第２モード時に、第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が、第１モード時より減少すると共に、第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過する光が、第１モード時より減少する。
【００４９】
その結果、請求項３に記載のＬＥＤ照明装置（１００）では、第２モード時に、観察位置（ＶＰ）から導光レンズ（３）の出光部（３ｂ）の出光面（３ｂ２）を見ると、第１ＬＥＤ光源（１ａ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第３輝線（ＢＬａ２）であって、第１輝線（ＢＬａ１）より暗い第３輝線（ＢＬａ２）が、導光レンズ（３）の出光部（３ｂ）の出光面（３ｂ２）に形成されるか、あるいは、導光レンズ（３）の出光部（３ｂ）の出光面（３ｂ２）に第３輝線（ＢＬａ２）が形成されない。
【００５０】
また、請求項３に記載のＬＥＤ照明装置（１００）では、第２モード時に、観察位置（ＶＰ）から導光レンズ（３）の出光部（３ｂ）の出光面（３ｂ２）を見ると、第２ＬＥＤ光源（１ｂ）から照射され、導光レンズ（３）の入光部（３ａ）を透過し、導光レンズ（３）の反射部（３ｃ）によって内面反射され、導光レンズ（３）の出光部（３ｂ）の反射面（３ｂ１）のプリズムカット（３ｂ１ａ）によって内面反射され、導光レンズ（３）の出光部（３ｂ）の出光面（３ｂ２）を透過した光によって、導光レンズ（３）の出光部（３ｂ）の反射面（３ｂ１）のプリズムカット（３ｂ１ａ）の稜線（３ｂ１ａ１）に概略垂直な向きに延びている第４輝線（ＢＬｂ２）であって、第２輝線（ＢＬｂ１）より暗い第４輝線（ＢＬｂ２）が、導光レンズ（３）の出光部（３ｂ）の出光面（３ｂ２）に形成されるか、あるいは、導光レンズ（３）の出光部（３ｂ）の出光面（３ｂ２）に第４輝線（ＢＬｂ２）が形成されない。
【００５１】
つまり、請求項３に記載のＬＥＤ照明装置（１００）によれば、第１ＬＥＤ光源（１ａ）の明るさを変更する必要なく、導光レンズ（３）の出光部（３ｂ）の出光面（３ｂ２）に形成される輝線（ＢＬａ１，ＢＬａ２）の明るさを第１モード時と第２モード時とで変化させることができると共に、第２ＬＥＤ光源（１ｂ）の明るさを変更する必要なく、導光レンズ（３）の出光部（３ｂ）の出光面（３ｂ２）に形成される輝線（ＢＬｂ１，ＢＬｂ２）の明るさを第１モード時と第２モード時とで変化させることができる。
【図面の簡単な説明】
【００５２】
【図１】第１の実施形態のＬＥＤ照明装置１００を示した図である。
【図２】第１の実施形態のＬＥＤ照明装置１００を示した図である。
【図３】第１の実施形態のＬＥＤ照明装置１００を示した図である。
【図４】第１の実施形態のＬＥＤ照明装置１００の一部を構成する導光レンズ３の部品図である。
【図５】第１の実施形態のＬＥＤ照明装置１００の第１モード時に、ＬＥＤ光源１ａの発光中心１ａ１から照射され、導光レンズ３の入光部３ａを介して導光レンズ３に入光し、導光レンズ３によって導光され、図１（Ｂ）のＡ−Ａ線に沿った水平面Ｓａ内を進む光を示した図である。
【図６】第１の実施形態のＬＥＤ照明装置１００の第１モード時に、ＬＥＤ光源１ａの発光中心１ａ１から照射され、導光レンズ３の入光部３ａを介して導光レンズ３に入光し、導光レンズ３によって導光され、図１（Ｂ）のＡ−Ａ線に沿った水平面Ｓａ内を進む光を示した図である。
【図７】第１の実施形態のＬＥＤ照明装置１００の第１モード時に、ＬＥＤ光源１ａの発光中心１ａ１から照射され、導光レンズ３の入光部３ａを介して導光レンズ３に入光し、導光レンズ３によって導光され、図１（Ｂ）のＡ−Ａ線に沿った水平面Ｓａ内を進む光を示した図である。
【図８】水平面Ｓａ内に位置する観察位置ＶＰから第１モードの第１の実施形態のＬＥＤ照明装置１００の導光レンズ３の出光部３ｂの出光面３ｂ２を見た時に導光レンズ３の出光部３ｂの出光面３ｂ２に形成される輝線ＢＬａ１，ＢＬｂ１，ＢＬｃ１，ＢＬｄ１，ＢＬｅ１を説明するための図である。
【図９】第１の実施形態のＬＥＤ照明装置１００の第１モード時に、ＬＥＤ光源１ａの発光中心１ａ１から照射され、導光レンズ３の出光部３ｂの反射面３ｂ１のプリズムカット３ｂ１ａによって外面反射され、リフレクタ４によって反射され、導光レンズ３の出光部３ｂを透過し、図１（Ｂ）のＡ−Ａ線に沿った水平面Ｓａ内を進む光を示した図である。
【図１０】水平面Ｓａ内に位置する観察位置ＶＰから第１モードの第１の実施形態のＬＥＤ照明装置１００の導光レンズ３の出光部３ｂの出光面３ｂ２を見た時に導光レンズ３の出光部３ｂの出光面３ｂ２に形成される輝点Ｐａａ１，Ｐａａ２，Ｐａａ３，Ｐａｂ１，Ｐａｂ２，Ｐａｂ３，Ｐａｃ１，Ｐａｃ２，Ｐａｃ３，Ｐａｄ１，Ｐａｄ２，Ｐａｄ３，Ｐａｅ１，Ｐａｅ２，Ｐａｅ３を説明するための図である。
【図１１】水平面Ｓａ内に位置する観察位置ＶＰから第１モードの第１の実施形態のＬＥＤ照明装置１００の導光レンズ３の出光部３ｂの出光面３ｂ２を見た時に導光レンズ３の出光部３ｂの出光面３ｂ２に形成される輝点Ｐｂａ１，Ｐｂａ２，Ｐｂａ３，Ｐｂｂ１，Ｐｂｂ２，Ｐｂｂ３，Ｐｂｃ１，Ｐｂｃ２，Ｐｂｃ３，Ｐｂｄ１，Ｐｂｄ２，Ｐｂｄ３，Ｐｃａ１，Ｐｃａ２，Ｐｃａ３，Ｐｃｂ１，Ｐｃｂ２，Ｐｃｂ３，Ｐｃｃ１，Ｐｃｃ２，Ｐｃｃ３，Ｐｃｅ１，Ｐｃｅ２，Ｐｃｅ３を説明するための図である。
【図１２】水平面Ｓａ内に位置する観察位置ＶＰから第１モードの第１の実施形態のＬＥＤ照明装置１００の導光レンズ３の出光部３ｂの出光面３ｂ２を見た時に導光レンズ３の出光部３ｂの出光面３ｂ２に形成される輝点Ｐｄａ１，Ｐｄａ２，Ｐｄａ３，Ｐｄｂ１，Ｐｄｂ２，Ｐｄｂ３，Ｐｄｄ１，Ｐｄｄ２，Ｐｄｄ３，Ｐｅａ１，Ｐｅａ２，Ｐｅａ３，Ｐｅｃ１，Ｐｅｃ２，Ｐｅｃ３，Ｐｅｅ１，Ｐｅｅ２，Ｐｅｅ３を説明するための図である。
【図１３】第１の実施形態のＬＥＤ照明装置１００の第２モード時に、ＬＥＤ光源１ａの発光中心１ａ１から照射され、導光レンズ３の入光部３ａを介して導光レンズ３に入光し、導光レンズ３によって導光され、図１（Ｂ）のＡ−Ａ線に沿った水平面Ｓａ内を進む光を示した図である。
【図１４】水平面Ｓａ内に位置する観察位置ＶＰから第２モードの第１の実施形態のＬＥＤ照明装置１００の導光レンズ３の出光部３ｂの出光面３ｂ２を見た時に導光レンズ３の出光部３ｂの出光面３ｂ２に形成される輝線ＢＬａ２，ＢＬｂ２，ＢＬｃ２，ＢＬｄ２，ＢＬｅ２を説明するための図である。
【図１５】第１の実施形態のＬＥＤ照明装置１００の第２モード時に、ＬＥＤ光源１ａの発光中心１ａ１から照射され、導光レンズ３の出光部３ｂの反射面３ｂ１のプリズムカット３ｂ１ａによって外面反射され、リフレクタ４によって反射され、導光レンズ３の出光部３ｂを透過し、図１（Ｂ）のＡ−Ａ線に沿った水平面Ｓａ内を進む光を示した図である。
【図１６】水平面Ｓａ内に位置する観察位置ＶＰから第２モードの第１の実施形態のＬＥＤ照明装置１００の導光レンズ３の出光部３ｂの出光面３ｂ２を見た時に導光レンズ３の出光部３ｂの出光面３ｂ２に形成される輝点Ｐａａ１’，Ｐａａ２’，Ｐａａ３’，Ｐａｂ１’，Ｐａｂ２’，Ｐａｂ３’，Ｐａｃ１’，Ｐａｃ２’，Ｐａｃ３’，Ｐａｄ１’，Ｐａｄ２’，Ｐａｄ３’，Ｐａｅ１’，Ｐａｅ２’，Ｐａｅ３’を説明するための図である。
【図１７】水平面Ｓａ内に位置する観察位置ＶＰから第２モードの第１の実施形態のＬＥＤ照明装置１００の導光レンズ３の出光部３ｂの出光面３ｂ２を見た時に導光レンズ３の出光部３ｂの出光面３ｂ２に形成される輝点Ｐｂａ１’，Ｐｂａ２’，Ｐｂａ３’，Ｐｂｂ１’，Ｐｂｂ２’，Ｐｂｂ３’，Ｐｂｃ１’，Ｐｂｃ２’，Ｐｂｃ３’，Ｐｂｄ１’，Ｐｂｄ２’，Ｐｂｄ３’，Ｐｃａ１’，Ｐｃａ２’，Ｐｃａ３’，Ｐｃｂ１’，Ｐｃｂ２’，Ｐｃｂ３’，Ｐｃｃ１’，Ｐｃｃ２’，Ｐｃｃ３’，Ｐｃｅ１’，Ｐｃｅ２’，Ｐｃｅ３’を説明するための図である。
【図１８】水平面Ｓａ内に位置する観察位置ＶＰから第２モードの第１の実施形態のＬＥＤ照明装置１００の導光レンズ３の出光部３ｂの出光面３ｂ２を見た時に導光レンズ３の出光部３ｂの出光面３ｂ２に形成される輝点Ｐｄａ１’，Ｐｄａ２’，Ｐｄａ３’，Ｐｄｂ１’，Ｐｄｂ２’，Ｐｄｂ３’，Ｐｄｄ１’，Ｐｄｄ２’，Ｐｄｄ３’，Ｐｅａ１’，Ｐｅａ２’，Ｐｅａ３’，Ｐｅｃ１’，Ｐｅｃ２’，Ｐｅｃ３’，Ｐｅｅ１’，Ｐｅｅ２’，Ｐｅｅ３’を説明するための図である。
【発明を実施するための形態】
【００５３】
以下、本発明のＬＥＤ照明装置の第１の実施形態について説明する。図１〜図３は第１の実施形態のＬＥＤ照明装置１００を示した図である。詳細には、図１（Ａ）は第１の実施形態のＬＥＤ照明装置１００の平面図、図１（Ｂ）は第１の実施形態のＬＥＤ照明装置１００の正面図、図１（Ｃ）は第１の実施形態のＬＥＤ照明装置１００の底面図である。図２（Ａ）は第１モードの第１の実施形態のＬＥＤ照明装置１００の図１（Ｂ）のＡ−Ａ線に沿った概略的な水平断面図である。図２（Ｂ）は第２モードの第１の実施形態のＬＥＤ照明装置１００の図１（Ｂ）のＡ−Ａ線に沿った概略的な水平断面図である。図２（Ｃ）は導光レンズ３（図１（Ｂ）参照）とハウジング５の左壁部５ｄおよび右壁部５ｅを覆うカバー６ａ，６ｂ（図１（Ｂ）参照）と軸受部材７ａ，７ｂ（図１（Ｂ）参照）とを取り外した状態における第１の実施形態のＬＥＤ照明装置１００の正面図である。図３（Ａ）は第１の実施形態のＬＥＤ照明装置１００の図２（Ｃ）のＢ−Ｂ線に沿った概略的な鉛直断面図、図３（Ｂ）は第１の実施形態のＬＥＤ照明装置１００の図２（Ｃ）のＣ−Ｃ線に沿った概略的な鉛直断面図、図３（Ｃ）は第１の実施形態のＬＥＤ照明装置１００の図２（Ｃ）のＤ−Ｄ線に沿った概略的な鉛直断面図である。
【００５４】
図４は第１の実施形態のＬＥＤ照明装置１００の一部を構成する導光レンズ３の部品図である。詳細には、図４（Ａ）は導光レンズ３の図１（Ｂ）のＡ−Ａ線に沿った水平断面図である。図４（Ｂ）は左前側かつ上側から見た導光レンズ３の反射面３ｃ１，３ｃ２などの拡大斜視図である。図４（Ｃ）は右後側かつ上側から見た導光レンズ３のプリズムカット３ｂ１ａなどの拡大斜視図である。図５〜図７は第１の実施形態のＬＥＤ照明装置１００の第１モード時に、ＬＥＤ光源１ａ（図２（Ａ）および図２（Ｃ）参照）の発光中心１ａ１から照射され、導光レンズ３の入光部３ａを介して導光レンズ３に入光し、導光レンズ３によって導光され、図１（Ｂ）のＡ−Ａ線に沿った水平面Ｓａ内を進む光を示した図である。図８は水平面Ｓａ内に位置する観察位置ＶＰから第１モードの第１の実施形態のＬＥＤ照明装置１００の導光レンズ３の出光部３ｂの出光面３ｂ２を見た時に導光レンズ３の出光部３ｂの出光面３ｂ２に形成される輝線ＢＬａ１，ＢＬｂ１，ＢＬｃ１，ＢＬｄ１，ＢＬｅ１を説明するための図である。
【００５５】
図９は第１の実施形態のＬＥＤ照明装置１００の第１モード時に、ＬＥＤ光源１ａ（図２（Ａ）および図２（Ｃ）参照）の発光中心１ａ１から照射され、導光レンズ３の出光部３ｂの反射面３ｂ１のプリズムカット３ｂ１ａ（図４（Ｃ）参照）によって外面反射され、リフレクタ４によって反射され、導光レンズ３の出光部３ｂを透過し、図１（Ｂ）のＡ−Ａ線に沿った水平面Ｓａ内を進む光を示した図である。図１０〜図１２は水平面Ｓａ内に位置する観察位置ＶＰから第１モードの第１の実施形態のＬＥＤ照明装置１００の導光レンズ３の出光部３ｂの出光面３ｂ２を見た時に導光レンズ３の出光部３ｂの出光面３ｂ２に形成される輝点Ｐａａ１，Ｐａａ２，Ｐａａ３，Ｐａｂ１，Ｐａｂ２，Ｐａｂ３，Ｐａｃ１，Ｐａｃ２，Ｐａｃ３，Ｐａｄ１，Ｐａｄ２，Ｐａｄ３，Ｐａｅ１，Ｐａｅ２，Ｐａｅ３，Ｐｂａ１，Ｐｂａ２，Ｐｂａ３，Ｐｂｂ１，Ｐｂｂ２，Ｐｂｂ３，Ｐｂｃ１，Ｐｂｃ２，Ｐｂｃ３，Ｐｂｄ１，Ｐｂｄ２，Ｐｂｄ３，Ｐｃａ１，Ｐｃａ２，Ｐｃａ３，Ｐｃｂ１，Ｐｃｂ２，Ｐｃｂ３，Ｐｃｃ１，Ｐｃｃ２，Ｐｃｃ３，Ｐｃｅ１，Ｐｃｅ２，Ｐｃｅ３，Ｐｄａ１，Ｐｄａ２，Ｐｄａ３，Ｐｄｂ１，Ｐｄｂ２，Ｐｄｂ３，Ｐｄｄ１，Ｐｄｄ２，Ｐｄｄ３，Ｐｅａ１，Ｐｅａ２，Ｐｅａ３，Ｐｅｃ１，Ｐｅｃ２，Ｐｅｃ３，Ｐｅｅ１，Ｐｅｅ２，Ｐｅｅ３を説明するための図である。
【００５６】
図１３は第１の実施形態のＬＥＤ照明装置１００の第２モード時に、ＬＥＤ光源１ａ（図２（Ｂ）および図２（Ｃ）参照）の発光中心１ａ１から照射され、導光レンズ３の入光部３ａを介して導光レンズ３に入光し、導光レンズ３によって導光され、図１（Ｂ）のＡ−Ａ線に沿った水平面Ｓａ内を進む光を示した図である。図１４は水平面Ｓａ内に位置する観察位置ＶＰから第２モードの第１の実施形態のＬＥＤ照明装置１００の導光レンズ３の出光部３ｂの出光面３ｂ２を見た時に導光レンズ３の出光部３ｂの出光面３ｂ２に形成される輝線ＢＬａ２，ＢＬｂ２，ＢＬｃ２，ＢＬｄ２，ＢＬｅ２を説明するための図である。
【００５７】
図１５は第１の実施形態のＬＥＤ照明装置１００の第２モード時に、ＬＥＤ光源１ａ（図２（Ｂ）および図２（Ｃ）参照）の発光中心１ａ１から照射され、導光レンズ３の出光部３ｂの反射面３ｂ１のプリズムカット３ｂ１ａ（図４（Ｃ）参照）によって外面反射され、リフレクタ４によって反射され、導光レンズ３の出光部３ｂを透過し、図１（Ｂ）のＡ−Ａ線に沿った水平面Ｓａ内を進む光を示した図である。図１６〜図１８は水平面Ｓａ内に位置する観察位置ＶＰから第２モードの第１の実施形態のＬＥＤ照明装置１００の導光レンズ３の出光部３ｂの出光面３ｂ２を見た時に導光レンズ３の出光部３ｂの出光面３ｂ２に形成される輝点Ｐａａ１’，Ｐａａ２’，Ｐａａ３’，Ｐａｂ１’，Ｐａｂ２’，Ｐａｂ３’，Ｐａｃ１’，Ｐａｃ２’，Ｐａｃ３’，Ｐａｄ１’，Ｐａｄ２’，Ｐａｄ３’，Ｐａｅ１’，Ｐａｅ２’，Ｐａｅ３’，Ｐｂａ１’，Ｐｂａ２’，Ｐｂａ３’，Ｐｂｂ１’，Ｐｂｂ２’，Ｐｂｂ３’，Ｐｂｃ１’，Ｐｂｃ２’，Ｐｂｃ３’，Ｐｂｄ１’，Ｐｂｄ２’，Ｐｂｄ３’，Ｐｃａ１’，Ｐｃａ２’，Ｐｃａ３’，Ｐｃｂ１’，Ｐｃｂ２’，Ｐｃｂ３’，Ｐｃｃ１’，Ｐｃｃ２’，Ｐｃｃ３’，Ｐｃｅ１’，Ｐｃｅ２’，Ｐｃｅ３’，Ｐｄａ１’，Ｐｄａ２’，Ｐｄａ３’，Ｐｄｂ１’，Ｐｄｂ２’，Ｐｄｂ３’，Ｐｄｄ１’，Ｐｄｄ２’，Ｐｄｄ３’，Ｐｅａ１’，Ｐｅａ２’，Ｐｅａ３’，Ｐｅｃ１’，Ｐｅｃ２’，Ｐｅｃ３’，Ｐｅｅ１’，Ｐｅｅ２’，Ｐｅｅ３’を説明するための図である。
【００５８】
第１の実施形態のＬＥＤ照明装置１００では、図２（Ｃ）に示すように、概略点状に光って見える例えば５個のＬＥＤ光源１ａ，１ｂ，１ｃ，１ｄ，１ｅが設けられている。第２の実施形態のＬＥＤ照明装置１００では、代わりに、５個以外の任意の数のＬＥＤ光源を設けることも可能である。
【００５９】
詳細には、第１の実施形態のＬＥＤ照明装置１００では、図２（Ｃ）に示すように、例えばＬＥＤ光源１ａ，１ｂ，１ｃ，１ｄ，１ｅが基板２に実装され、図２に示すように、例えば基板２がハウジング５のベース部５ａに接続されている。
【００６０】
更に、第１の実施形態のＬＥＤ照明装置１００では、図１（Ｂ）、図２（Ａ）および図２（Ｂ）に示すように、ＬＥＤ光源１ａ，１ｂ，１ｃ，１ｄ，１ｅ（図２（Ｃ）参照）からの光を導光する導光レンズ３が設けられている。また、図４に示すように、ＬＥＤ光源１ａ，１ｂ，１ｃ，１ｄ，１ｅ（図２（Ｃ）参照）からの光が入光する入光部３ａと、導光レンズ３によって導光された光が出光する出光部３ｂとが、導光レンズ３に形成されている。更に、入光部３ａからの光を出光部３ｂの側（図４（Ａ）の右側）に内面反射する反射部３ｃが、入光部３ａと出光部３ｂとの間に配置されている。
【００６１】
また、第１の実施形態のＬＥＤ照明装置１００では、図４（Ａ）に示すように、導光レンズ３が反射部３ｃの位置で屈曲せしめられている。更に、導光レンズ３の出光部３ｂの表面のうち、ＬＥＤ光源１ａ，１ｂ，１ｃ，１ｄ，１ｅ（図２（Ｃ）参照）の反対側（図４（Ａ）の下側）の表面に出光面３ｂ２が形成されている。また、導光レンズ３の出光部３ｂの表面のうち、ＬＥＤ光源１ａ，１ｂ，１ｃ，１ｄ，１ｅの側（図４（Ａ）の上側）の表面に反射面３ｂ１が形成されている。更に、導光レンズ３の出光部３ｂと反射部３ｃとの境界線３ｂｃ（図４（Ｂ）参照）に概略平行に延びている稜線３ｂ１ａ１（図４（Ｃ）参照）を有するプリズムカット３ｂ１ａ（図４（Ｃ）参照）が、導光レンズ３の出光部３ｂの反射面３ｂ１に形成されている。
【００６２】
更に、第１の実施形態のＬＥＤ照明装置１００では、図１（Ｂ）および図４に示すように、導光レンズ３の出光部３ｂが、湾曲した概略板状に形成されている。第３の実施形態のＬＥＤ照明装置１００では、代わりに、導光レンズ３の出光部３ｂを平板状に形成することも可能である。
【００６３】
詳細には、第１の実施形態のＬＥＤ照明装置１００では、図４（Ａ）に示す断面形状を鉛直方向（図１（Ｂ）の上下方向）にスイープすることにより得られる押し出し形状に、導光レンズ３が形成されている。第４の実施形態のＬＥＤ照明装置１００では、代わりに、図４（Ａ）に示す断面形状を曲線に沿って上下方向（図１（Ｂ）の上下方向）にスイープすることにより得られる形状に導光レンズ３を形成したり、あるいは、導光レンズ３の出光部３ｂの出光面３ｂ２の根元側端部３ｂ２ａと先端側端部３ｂ２ｂとを互いに逆向きにねじった形状に導光レンズ３を形成したりすることも可能である。
【００６４】
また、第１の実施形態のＬＥＤ照明装置１００では、図５および図６に示すように第１の実施形態のＬＥＤ照明装置１００の第１モード時にＬＥＤ光源１ａ（図２参照）の発光中心１ａ１から照射され、導光レンズ３の入光部３ａの入光面３ａ１（図４（Ｂ）参照）を透過し、ＬＥＤ光源１ａの発光中心１ａ１を含む水平面Ｓａ（図１（Ｂ）および図２（Ｃ）参照）内を進む光と、図７に示すように第１の実施形態のＬＥＤ照明装置１００の第１モード時にＬＥＤ光源１ａ（図２参照）の発光中心１ａ１から照射され、導光レンズ３の入光部３ａの入光面３ａ２（図４（Ｂ）参照）を透過し、導光レンズ３の入光部３ａの反射面３ａ３（図４（Ｂ）参照）によって反射され、水平面Ｓａ（図１（Ｂ）および図２（Ｃ）参照）内を進む光とが平行になるように、導光レンズ３の入光部３ａが形成されている。第５の実施形態のＬＥＤ照明装置１００では、代わりに、他の任意の形状（例えば平面形状、凹面形状、凸面形状など）に導光レンズ３の入光部３ａを形成することも可能である。
【００６５】
更に、第１の実施形態のＬＥＤ照明装置１００では、図５、図６および図７に示すように、第１の実施形態のＬＥＤ照明装置１００の第１モード時に、導光レンズ３の反射部３ｃからの光が、直接、あるいは、導光レンズ３の出光部３ｂの反射面３ｂ１および／または出光面３ｂ２による反射を経て、導光レンズ３の出光部３ｂの反射面３ｂ１のプリズムカット３ｂ１ａ（図４（Ｃ）参照）の全体に到達するように、互いに角度をなす２個の平面形状の反射面３ｃ１，３ｃ２が導光レンズ３の反射部３ｃに形成されている。第６の実施形態のＬＥＤ照明装置１００では、代わりに、第６の実施形態のＬＥＤ照明装置１００の第１モード時に、導光レンズ３の反射部３ｃからの光が、直接、あるいは、導光レンズ３の出光部３ｂの反射面３ｂ１および／または出光面３ｂ２による反射を経て、導光レンズ３の出光部３ｂの反射面３ｂ１のプリズムカット３ｂ１ａ（図４（Ｃ）参照）の全体に到達するように、任意の個数および任意の形状の反射面を導光レンズ３の反射部３ｃに形成することも可能である。
【００６６】
また、第１の実施形態のＬＥＤ照明装置１００では、図２および図３に示すように、格子状に配列された例えば１５個の凸状の反射面４ａ１，４ａ２，４ａ３，４ｂ１，４ｂ２，４ｂ３，４ｃ１，４ｃ２，４ｃ３，４ｄ１，４ｄ２，４ｄ３，４ｅ１，４ｅ２，４ｅ３を有するリフレクタ４が設けられている。第７の実施形態のＬＥＤ照明装置１００では、代わりに、導光レンズ３（図９参照）の出光部３ｂ（図９参照）の出光面３ｂ２（図９参照）に対向する観察位置ＶＰ（図９参照）から導光レンズ３の出光部３ｂの出光面３ｂ２を見た時に、各ＬＥＤ光源１ａ，１ｂ，１ｃ，１ｄ，１ｅ（図２および図９参照）から照射され、導光レンズ３の出光部３ｂの反射面３ｂ１（図９参照）のプリズムカット３ｂ１ａ（図４（Ｃ）参照）によって外面反射され、リフレクタ４（図９参照）の各反射面によって反射され、導光レンズ３の出光部３ｂを透過した光によって、導光レンズ３の出光部３ｂの出光面３ｂ２に輝点が形成されるように、任意の個数、任意の形状（例えば凹状）および任意の配列の反射面をリフレクタ４に形成することも可能である。
【００６７】
更に、第１の実施形態のＬＥＤ照明装置１００では、図２（Ａ）および図２（Ｂ）に示すように、リフレクタ４が、導光レンズ３の出光部３ｂの反射面３ｂ１に対向せしめられて配置されている。また、導光レンズ３が、ＬＥＤ光源１ａ，１ｂ，１ｃ，１ｄ，１ｅ（図２（Ｃ）参照）およびリフレクタ４に対して移動可能に構成されている。具体的には、第１の実施形態のＬＥＤ照明装置１００では、導光レンズ３の回転中心３ｄ３（図２（Ａ）および図２（Ｂ）参照）と同軸の軸部３ｄ１，３ｄ２（図１参照）が、導光レンズ３に設けられている。更に、導光レンズ３の軸部３ｄ１が、ハウジング５（図１参照）の上壁部５ｂ（図１（Ａ）および図１（Ｂ）参照）に対して回転可能に、軸受部材７ａ（図１（Ａ）および図１（Ｂ）参照）によって支持されている。また、導光レンズ３の軸部３ｄ２が、ハウジング５の下壁部５ｃ（図１（Ｂ）および図１（Ｃ）参照）に対して回転可能に、軸受部材７ｂ（図１（Ｂ）および図１（Ｃ）参照）によって支持されている。
【００６８】
また、第１の実施形態のＬＥＤ照明装置１００では、図２（Ａ）に示すように導光レンズ３の入光部３ａ（図４（Ａ）参照）とＬＥＤ光源１ａ，１ｂ，１ｃ，１ｄ，１ｅ（図２（Ｃ）参照）とが対向せしめられる第１モードの位置と、図２（Ｂ）に示すように導光レンズ３の出光部３ｂ（図４（Ａ）参照）の反射面３ｂ１（図４（Ａ）参照）とＬＥＤ光源１ａ，１ｂ，１ｃ，１ｄ，１ｅとが対向せしめられる第２モードの位置とに、導光レンズ３が位置することができるように、導光レンズ３の例えば下側の軸部３ｄ２が、例えば歯車列、リンク機構等を介して例えばモータ、ソレノイド等に駆動連結されている。具体的には、第１の実施形態のＬＥＤ照明装置１００の第１モード時には、図２（Ａ）に示すように、ＬＥＤ光源１ａ，１ｂ，１ｃ，１ｄ，１ｅ（図２（Ｃ）参照）の光軸１ａ’，…上に導光レンズ３の入光部３ａ（図４（Ａ）参照）が配置される。一方、第１の実施形態のＬＥＤ照明装置１００の第２モード時には、導光レンズ３が回転中心３ｄ３（図２（Ａ）および図２（Ｂ）参照）のまわりを回転移動せしめられ、図２（Ｂ）に示すように、ＬＥＤ光源１ａ，１ｂ，１ｃ，１ｄ，１ｅ（図２（Ｃ）参照）の光軸１ａ’，…上に導光レンズ３の出光部３ｂ（図４（Ａ）参照）が配置される。
【００６９】
第１の実施形態のＬＥＤ照明装置１００では、図２（Ａ）に示すように導光レンズ３の入光部３ａ（図４（Ａ）参照）とＬＥＤ光源１ａ，１ｂ，１ｃ，１ｄ，１ｅ（図２（Ｃ）参照）とが対向せしめられる第１モードと、図２（Ｂ）に示すように導光レンズ３の出光部３ｂ（図４（Ａ）参照）の反射面３ｂ１（図４（Ａ）参照）とＬＥＤ光源１ａ，１ｂ，１ｃ，１ｄ，１ｅとが対向せしめられる第２モードとを切り換えるために、導光レンズ３が回転中心３ｄ３（図２（Ａ）および図２（Ｂ）参照）のまわりを回転移動せしめられるが、第８の実施形態のＬＥＤ照明装置１００では、代わりに、導光レンズ３の入光部３ａとＬＥＤ光源１ａ，１ｂ，１ｃ，１ｄ，１ｅとが対向せしめられる第１モードと、導光レンズ３の出光部３ｂの反射面３ｂ１とＬＥＤ光源１ａ，１ｂ，１ｃ，１ｄ，１ｅとが対向せしめられる第２モードとを切り換えるために、導光レンズ３を例えば左右方向（図２（Ａ）および図２（Ｂ）の左右方向）に直線移動させることも可能である。
【００７０】
具体的には、第１の実施形態のＬＥＤ照明装置１００では、第１モード時に、図５（Ａ）に示すように、例えば、ＬＥＤ光源１ａ（図２参照）の発光中心１ａ１から照射され、ＬＥＤ光源１ａの光軸１ａ’上を進む光が、導光レンズ３の入光部３ａの入光面３ａ１（図４（Ｂ）参照）を透過し、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過して透過光Ｌａ０となり、ＬＥＤ光源１ａの発光中心１ａ１を含む水平面Ｓａ（図１（Ｂ）および図２（Ｃ）参照）内の観察位置ＶＰに到達する。
【００７１】
また、第１の実施形態のＬＥＤ照明装置１００では、第１モード時に、図５（Ｂ）に示すように、例えば、ＬＥＤ光源１ａ（図２参照）の光軸１ａ’と例えば約２０°の角度をなしてＬＥＤ光源１ａの発光中心１ａ１から右前側（図５（Ｂ）の右下側）に照射され、ＬＥＤ光源１ａの発光中心１ａ１を含む水平面Ｓａ（図１（Ｂ）および図２（Ｃ）参照）内を進む光が、導光レンズ３の入光部３ａの入光面３ａ１（図４（Ｂ）参照）を透過し、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過して透過光Ｌａ２Ｒとなり、水平面Ｓａ内の観察位置ＶＰに到達する。
【００７２】
更に、第１の実施形態のＬＥＤ照明装置１００では、第１モード時に、図６（Ａ）に示すように、例えば、ＬＥＤ光源１ａ（図２参照）の光軸１ａ’と例えば約２０°の角度をなしてＬＥＤ光源１ａの発光中心１ａ１から左前側（図６（Ａ）の左下側）に照射され、ＬＥＤ光源１ａの発光中心１ａ１を含む水平面Ｓａ（図１（Ｂ）および図２（Ｃ）参照）内を進む光が、導光レンズ３の入光部３ａの入光面３ａ１（図４（Ｂ）参照）を透過し、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過して透過光Ｌａ２Ｌとなり、水平面Ｓａ内の観察位置ＶＰに到達する。
【００７３】
また、第１の実施形態のＬＥＤ照明装置１００では、第１モード時に、図６（Ｂ）に示すように、例えば、ＬＥＤ光源１ａ（図２参照）の光軸１ａ’と例えば約４０°の角度をなしてＬＥＤ光源１ａの発光中心１ａ１から左前側（図６（Ｂ）の左下側）に照射され、ＬＥＤ光源１ａの発光中心１ａ１を含む水平面Ｓａ（図１（Ｂ）および図２（Ｃ）参照）内を進む光が、導光レンズ３の入光部３ａの入光面３ａ１（図４（Ｂ）参照）を透過し、導光レンズ３の反射部３ｃの反射面３ｃ１によって内面反射され、導光レンズ３の出光部３ｂの反射面３ｂ１のプリズムカット３ｂ１ａ（図４（Ｃ）参照）によって内面反射されて反射光Ｌａ４Ｌとなる。次いで、反射光Ｌａ４Ｌの一部が、導光レンズ３の出光部３ｂの出光面３ｂ２を透過して透過光Ｌａ４Ｌ１となり、水平面Ｓａ内の観察位置ＶＰに到達する。また、反射光Ｌａ４Ｌの他の一部が、導光レンズ３の出光部３ｂの出光面３ｂ２によって内面反射されて反射光Ｌａ４Ｌ２となる。次いで、反射光Ｌａ４Ｌ２が、導光レンズ３の出光部３ｂの反射面３ｂ１のプリズムカット３ｂ１ａによって内面反射され、導光レンズ３の出光部３ｂの出光面３ｂ２によって内面反射され、導光レンズ３の出光部３ｂの反射面３ｂ１のプリズムカット３ｂ１ａによって内面反射されて反射光Ｌａ４Ｌ３となる。次いで、反射光Ｌａ４Ｌ３の一部が、導光レンズ３の出光部３ｂの出光面３ｂ２を透過して透過光Ｌａ４Ｌ４となり、水平面Ｓａ内の観察位置ＶＰに到達する。また、反射光Ｌａ４Ｌ３の他の一部が、導光レンズ３の出光部３ｂの出光面３ｂ２によって内面反射されて反射光Ｌａ４Ｌ５となる。次いで、反射光Ｌａ４Ｌ５が、導光レンズ３の出光部３ｂの反射面３ｂ１のプリズムカット３ｂ１ａによって内面反射され、導光レンズ３の出光部３ｂの出光面３ｂ２によって内面反射され、導光レンズ３の出光部３ｂの反射面３ｂ１のプリズムカット３ｂ１ａによって内面反射されて反射光Ｌａ４Ｌ６となる。次いで、次いで、反射光Ｌａ４Ｌ６の一部が、導光レンズ３の出光部３ｂの出光面３ｂ２を透過して透過光Ｌａ４Ｌ７となり、水平面Ｓａ内の観察位置ＶＰに到達する。また、反射光Ｌａ４Ｌ６の他の一部が、導光レンズ３の出光部３ｂの出光面３ｂ２によって内面反射されて反射光Ｌａ４Ｌ８となる。次いで、反射光Ｌａ４Ｌ８が、導光レンズ３の出光部３ｂの反射面３ｂ１のプリズムカット３ｂ１ａによって内面反射され、導光レンズ３の出光部３ｂの出光面３ｂ２によって内面反射され、導光レンズ３の出光部３ｂの反射面３ｂ１のプリズムカット３ｂ１ａによって内面反射され、導光レンズ３の出光部３ｂの出光面３ｂ２によって内面反射され、導光レンズ３の出光部３ｂの反射面３ｂ１のプリズムカット３ｂ１ａによって内面反射され、導光レンズ３の出光部３ｂの出光面３ｂ２によって内面反射され、導光レンズ３の出光部３ｂの反射面３ｂ１のプリズムカット３ｂ１ａによって内面反射され、導光レンズ３の出光部３ｂの出光面３ｂ２を透過して透過光Ｌａ４Ｌ９となり、水平面Ｓａ内の観察位置ＶＰに到達する。
【００７４】
更に、第１の実施形態のＬＥＤ照明装置１００では、第１モード時に、図７（Ａ）に示すように、例えば、ＬＥＤ光源１ａ（図２参照）の光軸１ａ’と例えば約６０°の角度をなしてＬＥＤ光源１ａの発光中心１ａ１から左前側（図７（Ａ）の左下側）に照射され、ＬＥＤ光源１ａの発光中心１ａ１を含む水平面Ｓａ（図１（Ｂ）および図２（Ｃ）参照）内を進む光が、導光レンズ３の入光部３ａの入光面３ａ２（図４（Ｂ）参照）を透過し、導光レンズ３の入光部３ａの反射面３ａ３（図４（Ｂ）参照）によって内面反射され、導光レンズ３の反射部３ｃの反射面３ｃ２によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射されて反射光Ｌａ６Ｌとなる。次いで、次いで、反射光Ｌａ６Ｌの一部が、導光レンズ３の出光部３ｂの出光面３ｂ２を透過して透過光Ｌａ６Ｌ１となり、水平面Ｓａ内の観察位置ＶＰに到達する。また、反射光Ｌａ６Ｌの他の一部が、導光レンズ３の出光部３ｂの出光面３ｂ２によって内面反射されて反射光Ｌａ６Ｌ２となる。次いで、反射光Ｌａ６Ｌ２が、導光レンズ３の出光部３ｂの反射面３ｂ１のプリズムカット３ｂ１ａによって内面反射され、導光レンズ３の出光部３ｂの出光面３ｂ２によって内面反射され、導光レンズ３の出光部３ｂの反射面３ｂ１のプリズムカット３ｂ１ａによって内面反射され、導光レンズ３の出光部３ｂの出光面３ｂ２を透過して透過光Ｌａ６Ｌ３となり、水平面Ｓａ内の観察位置ＶＰに到達する。
【００７５】
また、第１の実施形態のＬＥＤ照明装置１００では、第１モード時に、図７（Ｂ）に示すように、例えば、ＬＥＤ光源１ａ（図２参照）の光軸１ａ’と例えば約８０°の角度をなしてＬＥＤ光源１ａの発光中心１ａ１から左前側（図７（Ｂ）の左下側）に照射され、ＬＥＤ光源１ａの発光中心１ａ１を含む水平面Ｓａ（図１（Ｂ）および図２（Ｃ）参照）内を進む光が、導光レンズ３の入光部３ａの入光面３ａ２（図４（Ｂ）参照）を透過し、導光レンズ３の入光部３ａの反射面３ａ３（図４（Ｂ）参照）によって内面反射され、導光レンズ３の反射部３ｃの反射面３ｃ２によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射されて反射光Ｌａ８Ｌとなる。次いで、反射光Ｌａ８Ｌの一部が、導光レンズ３の出光部３ｂの出光面３ｂ２を透過して透過光Ｌａ８Ｌ１となり、水平面Ｓａ内の観察位置ＶＰに到達する。また、反射光Ｌａ８Ｌの他の一部が、導光レンズ３の出光部３ｂの出光面３ｂ２によって内面反射されて反射光Ｌａ８Ｌ２となる。次いで、反射光Ｌａ８Ｌ２が、導光レンズ３の出光部３ｂの反射面３ｂ１のプリズムカット３ｂ１ａによって内面反射され、導光レンズ３の出光部３ｂの出光面３ｂ２を透過して透過光Ｌａ８Ｌ３となり、水平面Ｓａ内の観察位置ＶＰに到達する。
【００７６】
その結果、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図５参照）から導光レンズ３の出光部３ｂの出光面３ｂ２を見ると、導光レンズ３の出光部３ｂの出光面３ｂ２を透過し、観察位置ＶＰに到達した光Ｌａ０（図５（Ａ）参照），Ｌａ２Ｒ（図５（Ｂ）参照），Ｌａ２Ｌ（図６（Ａ）参照），Ｌａ４Ｌ１，Ｌａ４Ｌ４，Ｌａ４Ｌ７，Ｌａ４Ｌ９（図６（Ｂ）参照），Ｌａ６Ｌ１，Ｌａ６Ｌ３（図７（Ａ）参照），Ｌａ８Ｌ１，Ｌａ８Ｌ３（図７（Ｂ）参照）…によって、図８に示すように、導光レンズ３の出光部３ｂの反射面３ｂ１（図４（Ａ）および図４（Ｃ）参照）のプリズムカット３ｂ１ａ（図４（Ｃ）参照）の稜線３ｂ１ａ１（図４（Ｃ）参照）に概略垂直な向き（図８の左右方向）に延びている輝線ＢＬａ１が、導光レンズ３の出光部３ｂの出光面３ｂ２に形成される。
【００７７】
図８に示す例では、観察位置ＶＰが、ＬＥＤ光源１ａ（図２参照）の発光中心１ａ１（図４（Ａ）参照）を含む水平面Ｓａ（図１（Ｂ）および図２（Ｃ）参照）内に配置されており、ＬＥＤ光源１ｂ（図２（Ｃ）参照）の発光中心を含む水平面Ｓｂ（図２（Ｃ）および図８参照）よりも下側に配置されている。そのため、図８に示す例では、ＬＥＤ光源１ｂ（図２（Ｃ）参照）から照射されて水平面Ｓｂを進む光は観察位置ＶＰに到達することができず、ＬＥＤ光源１ｂから下向きに照射された光のみが観察位置ＶＰに到達することができる。その結果、図８に示す例では、ＬＥＤ光源１ｂから照射され、導光レンズ３の出光部３ｂの出光面３ｂ２を透過し、観察位置ＶＰに到達した光によって、水平面Ｓｂより下側に位置する右下がりの輝線ＢＬｂ１が、導光レンズ３の出光部３ｂの出光面３ｂ２に形成される。同様に、図８に示す例では、ＬＥＤ光源１ｄ（図２（Ｃ）参照）から照射され、導光レンズ３の出光部３ｂの出光面３ｂ２を透過し、観察位置ＶＰに到達した光によって、右下がりの輝線ＢＬｄ１が、導光レンズ３の出光部３ｂの出光面３ｂ２に形成される。また、ＬＥＤ光源１ｃ（図２（Ｃ）参照）から照射され、導光レンズ３の出光部３ｂの出光面３ｂ２を透過し、観察位置ＶＰに到達した光によって、右上がりの輝線ＢＬｃ１が、導光レンズ３の出光部３ｂの出光面３ｂ２に形成される。更に、ＬＥＤ光源１ｅ（図２（Ｃ）参照）から照射され、導光レンズ３の出光部３ｂの出光面３ｂ２を透過し、観察位置ＶＰに到達した光によって、右上がりの輝線ＢＬｅ１が、導光レンズ３の出光部３ｂの出光面３ｂ２に形成される。
【００７８】
更に、第１の実施形態のＬＥＤ照明装置１００では、第１モード時に、図９に示すように、例えば、ＬＥＤ光源１ａ（図２参照）の光軸１ａ’と例えば約３０°の角度をなしてＬＥＤ光源１ａの発光中心１ａ１から右前側（図９の右下側）に照射され、ＬＥＤ光源１ａの発光中心１ａ１を含む水平面Ｓａ（図１（Ｂ）および図２（Ｃ）参照）内を進む光が、導光レンズ３の出光部３ｂの反射面３ｂ１のプリズムカット３ｂ１ａ（図４（Ｃ）参照）によって外面反射され、リフレクタ４の反射面４ａ１によって反射され、導光レンズ３の出光部３ｂの反射面３ｂ１のプリズムカット３ｂ１ａを透過し、導光レンズ３の出光部３ｂの出光面３ｂ２を透過して透過光Ｌａ３Ｒとなり、水平面Ｓａ内の観察位置ＶＰに到達する。
【００７９】
その結果、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、ＬＥＤ光源１ａから照射され、リフレクタ４の反射面４ａ１によって反射され、導光レンズ３の出光部３ｂの出光面３ｂ２を透過し、観察位置ＶＰに到達した光Ｌａ３Ｒ（図９参照）…によって、図１０に示すように、輝点Ｐａａ１が、導光レンズ３の出光部３ｂの出光面３ｂ２に形成される。
【００８０】
また、第１の実施形態のＬＥＤ照明装置１００では、第１モード時に、図９に示すように、例えば、ＬＥＤ光源１ａ（図２参照）の光軸１ａ’と例えば約４０°の角度をなしてＬＥＤ光源１ａの発光中心１ａ１から右前側（図９の右下側）に照射され、ＬＥＤ光源１ａの発光中心１ａ１を含む水平面Ｓａ（図１（Ｂ）および図２（Ｃ）参照）内を進む光が、導光レンズ３の出光部３ｂの反射面３ｂ１のプリズムカット３ｂ１ａ（図４（Ｃ）参照）によって外面反射され、リフレクタ４の反射面４ａ２によって反射され、導光レンズ３の出光部３ｂの反射面３ｂ１のプリズムカット３ｂ１ａを透過し、導光レンズ３の出光部３ｂの出光面３ｂ２を透過して透過光Ｌａ４Ｒとなり、水平面Ｓａ内の観察位置ＶＰに到達する。
【００８１】
その結果、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、ＬＥＤ光源１ａから照射され、リフレクタ４の反射面４ａ２によって反射され、導光レンズ３の出光部３ｂの出光面３ｂ２を透過し、観察位置ＶＰに到達した光Ｌａ４Ｒ（図９参照）…によって、図１０に示すように、輝点Ｐａａ２が、導光レンズ３の出光部３ｂの出光面３ｂ２に形成される。
【００８２】
更に、第１の実施形態のＬＥＤ照明装置１００では、第１モード時に、図９に示すように、例えば、ＬＥＤ光源１ａ（図２参照）の光軸１ａ’と例えば約５０°の角度をなしてＬＥＤ光源１ａの発光中心１ａ１から右前側（図９の右下側）に照射され、ＬＥＤ光源１ａの発光中心１ａ１を含む水平面Ｓａ（図１（Ｂ）および図２（Ｃ）参照）内を進む光が、導光レンズ３の出光部３ｂの反射面３ｂ１のプリズムカット３ｂ１ａ（図４（Ｃ）参照）によって外面反射され、リフレクタ４の反射面４ａ３によって反射され、導光レンズ３の出光部３ｂの反射面３ｂ１のプリズムカット３ｂ１ａを透過し、導光レンズ３の出光部３ｂの出光面３ｂ２を透過して透過光Ｌａ５Ｒとなり、水平面Ｓａ内の観察位置ＶＰに到達する。
【００８３】
その結果、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、ＬＥＤ光源１ａから照射され、リフレクタ４の反射面４ａ３によって反射され、導光レンズ３の出光部３ｂの出光面３ｂ２を透過し、観察位置ＶＰに到達した光Ｌａ５Ｒ（図９参照）…によって、図１０に示すように、輝点Ｐａａ３が、導光レンズ３の出光部３ｂの出光面３ｂ２に形成される。
【００８４】
同様に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１０に示すように、ＬＥＤ光源１ａ（図２（Ｃ）参照）から照射され、リフレクタ４（図２（Ｃ）参照）の反射面４ｂ１（図２（Ｃ）および図３（Ａ）参照）によって反射され、導光レンズ３の出光部３ｂの出光面３ｂ２を透過し、観察位置ＶＰに到達した光によって、輝点Ｐａｂ１が導光レンズ３の出光部３ｂの出光面３ｂ２に形成され、更に、ＬＥＤ光源１ａから照射され、リフレクタ４の反射面４ｂ２（図２（Ｃ）および図３（Ｂ）参照）によって反射され、導光レンズ３の出光部３ｂの出光面３ｂ２を透過し、観察位置ＶＰに到達した光によって、輝点Ｐａｂ２が導光レンズ３の出光部３ｂの出光面３ｂ２に形成され、また、ＬＥＤ光源１ａから照射され、リフレクタ４の反射面４ｂ３（図２（Ｃ）および図３（Ｃ）参照）によって反射され、導光レンズ３の出光部３ｂの出光面３ｂ２を透過し、観察位置ＶＰに到達した光によって、輝点Ｐａｂ３が導光レンズ３の出光部３ｂの出光面３ｂ２に形成される。
【００８５】
更に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１０に示すように、ＬＥＤ光源１ａ（図２（Ｃ）参照）から照射され、リフレクタ４（図２（Ｃ）参照）の反射面４ｃ１（図２（Ｃ）および図３（Ａ）参照）によって反射され、導光レンズ３の出光部３ｂの出光面３ｂ２を透過し、観察位置ＶＰに到達した光によって、輝点Ｐａｃ１が導光レンズ３の出光部３ｂの出光面３ｂ２に形成され、更に、ＬＥＤ光源１ａから照射され、リフレクタ４の反射面４ｃ２（図２（Ｃ）および図３（Ｂ）参照）によって反射され、導光レンズ３の出光部３ｂの出光面３ｂ２を透過し、観察位置ＶＰに到達した光によって、輝点Ｐａｃ２が導光レンズ３の出光部３ｂの出光面３ｂ２に形成され、また、ＬＥＤ光源１ａから照射され、リフレクタ４の反射面４ｃ３（図２（Ｃ）および図３（Ｃ）参照）によって反射され、導光レンズ３の出光部３ｂの出光面３ｂ２を透過し、観察位置ＶＰに到達した光によって、輝点Ｐａｃ３が導光レンズ３の出光部３ｂの出光面３ｂ２に形成される。
【００８６】
また、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１０に示すように、ＬＥＤ光源１ａ（図２（Ｃ）参照）から照射され、リフレクタ４（図２（Ｃ）参照）の反射面４ｄ１（図２（Ｃ）および図３（Ａ）参照）によって反射され、導光レンズ３の出光部３ｂの出光面３ｂ２を透過し、観察位置ＶＰに到達した光によって、輝点Ｐａｄ１が導光レンズ３の出光部３ｂの出光面３ｂ２に形成され、更に、ＬＥＤ光源１ａから照射され、リフレクタ４の反射面４ｄ２（図２（Ｃ）および図３（Ｂ）参照）によって反射され、導光レンズ３の出光部３ｂの出光面３ｂ２を透過し、観察位置ＶＰに到達した光によって、輝点Ｐａｄ２が導光レンズ３の出光部３ｂの出光面３ｂ２に形成され、また、ＬＥＤ光源１ａから照射され、リフレクタ４の反射面４ｄ３（図２（Ｃ）および図３（Ｃ）参照）によって反射され、導光レンズ３の出光部３ｂの出光面３ｂ２を透過し、観察位置ＶＰに到達した光によって、輝点Ｐａｄ３が導光レンズ３の出光部３ｂの出光面３ｂ２に形成される。
【００８７】
更に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１０に示すように、ＬＥＤ光源１ａ（図２（Ｃ）参照）から照射され、リフレクタ４（図２（Ｃ）参照）の反射面４ｅ１（図２（Ｃ）および図３（Ａ）参照）によって反射され、導光レンズ３の出光部３ｂの出光面３ｂ２を透過し、観察位置ＶＰに到達した光によって、輝点Ｐａｅ１が導光レンズ３の出光部３ｂの出光面３ｂ２に形成され、更に、ＬＥＤ光源１ａから照射され、リフレクタ４の反射面４ｅ２（図２（Ｃ）および図３（Ｂ）参照）によって反射され、導光レンズ３の出光部３ｂの出光面３ｂ２を透過し、観察位置ＶＰに到達した光によって、輝点Ｐａｅ２が導光レンズ３の出光部３ｂの出光面３ｂ２に形成され、また、ＬＥＤ光源１ａから照射され、リフレクタ４の反射面４ｅ３（図２（Ｃ）および図３（Ｃ）参照）によって反射され、導光レンズ３の出光部３ｂの出光面３ｂ２を透過し、観察位置ＶＰに到達した光によって、輝点Ｐａｅ３が導光レンズ３の出光部３ｂの出光面３ｂ２に形成される。
【００８８】
同様に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１１（Ａ）に示すように、ＬＥＤ光源１ｂ（図２（Ｃ）参照）から照射され、リフレクタ４（図２および図３参照）の反射面４ａ１（図２（Ｃ）および図３（Ａ）参照）によって反射され、導光レンズ３の出光部３ｂの出光面３ｂ２を透過し、観察位置ＶＰに到達した光によって、輝点Ｐｂａ１が導光レンズ３の出光部３ｂの出光面３ｂ２に形成され、更に、ＬＥＤ光源１ｂから照射され、リフレクタ４の反射面４ａ２（図２（Ｃ）および図３（Ｂ）参照）によって反射され、導光レンズ３の出光部３ｂの出光面３ｂ２を透過し、観察位置ＶＰに到達した光によって、輝点Ｐｂａ２が導光レンズ３の出光部３ｂの出光面３ｂ２に形成され、また、ＬＥＤ光源１ｂから照射され、リフレクタ４の反射面４ａ３（図２（Ｃ）および図３（Ｃ）参照）によって反射され、導光レンズ３の出光部３ｂの出光面３ｂ２を透過し、観察位置ＶＰに到達した光によって、輝点Ｐｂａ３が導光レンズ３の出光部３ｂの出光面３ｂ２に形成される。
【００８９】
また、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１１（Ａ）に示すように、ＬＥＤ光源１ｂ（図２（Ｃ）参照）から照射され、リフレクタ４（図２および図３参照）の反射面４ｂ１（図２（Ｃ）および図３（Ａ）参照）によって反射され、導光レンズ３の出光部３ｂの出光面３ｂ２を透過し、観察位置ＶＰに到達した光によって、輝点Ｐｂｂ１が導光レンズ３の出光部３ｂの出光面３ｂ２に形成され、更に、ＬＥＤ光源１ｂから照射され、リフレクタ４の反射面４ｂ２（図２（Ｃ）および図３（Ｂ）参照）によって反射され、導光レンズ３の出光部３ｂの出光面３ｂ２を透過し、観察位置ＶＰに到達した光によって、輝点Ｐｂｂ２が導光レンズ３の出光部３ｂの出光面３ｂ２に形成され、また、ＬＥＤ光源１ｂから照射され、リフレクタ４の反射面４ｂ３（図２（Ｃ）および図３（Ｃ）参照）によって反射され、導光レンズ３の出光部３ｂの出光面３ｂ２を透過し、観察位置ＶＰに到達した光によって、輝点Ｐｂｂ３が導光レンズ３の出光部３ｂの出光面３ｂ２に形成される。
【００９０】
更に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１１（Ａ）に示すように、ＬＥＤ光源１ｂ（図２（Ｃ）参照）から照射され、リフレクタ４（図２および図３参照）の反射面４ｃ１（図２（Ｃ）および図３（Ａ）参照）によって反射され、導光レンズ３の出光部３ｂの出光面３ｂ２を透過し、観察位置ＶＰに到達した光によって、輝点Ｐｂｃ１が導光レンズ３の出光部３ｂの出光面３ｂ２に形成され、更に、ＬＥＤ光源１ｂから照射され、リフレクタ４の反射面４ｃ２（図２（Ｃ）および図３（Ｂ）参照）によって反射され、導光レンズ３の出光部３ｂの出光面３ｂ２を透過し、観察位置ＶＰに到達した光によって、輝点Ｐｂｃ２が導光レンズ３の出光部３ｂの出光面３ｂ２に形成され、また、ＬＥＤ光源１ｂから照射され、リフレクタ４の反射面４ｃ３（図２（Ｃ）および図３（Ｃ）参照）によって反射され、導光レンズ３の出光部３ｂの出光面３ｂ２を透過し、観察位置ＶＰに到達した光によって、輝点Ｐｂｃ３が導光レンズ３の出光部３ｂの出光面３ｂ２に形成される。
【００９１】
また、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１１（Ａ）に示すように、ＬＥＤ光源１ｂ（図２（Ｃ）参照）から照射され、リフレクタ４（図２および図３参照）の反射面４ｄ１（図２（Ｃ）および図３（Ａ）参照）によって反射され、導光レンズ３の出光部３ｂの出光面３ｂ２を透過し、観察位置ＶＰに到達した光によって、輝点Ｐｂｄ１が導光レンズ３の出光部３ｂの出光面３ｂ２に形成され、更に、ＬＥＤ光源１ｂから照射され、リフレクタ４の反射面４ｄ２（図２（Ｃ）および図３（Ｂ）参照）によって反射され、導光レンズ３の出光部３ｂの出光面３ｂ２を透過し、観察位置ＶＰに到達した光によって、輝点Ｐｂｄ２が導光レンズ３の出光部３ｂの出光面３ｂ２に形成され、また、ＬＥＤ光源１ｂから照射され、リフレクタ４の反射面４ｄ３（図２（Ｃ）および図３（Ｃ）参照）によって反射され、導光レンズ３の出光部３ｂの出光面３ｂ２を透過し、観察位置ＶＰに到達した光によって、輝点Ｐｂｄ３が導光レンズ３の出光部３ｂの出光面３ｂ２に形成される。
【００９２】
同様に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１１（Ｂ）に示すように、ＬＥＤ光源１ｃ（図２（Ｃ）参照）から照射され、リフレクタ４（図２および図３参照）の反射面４ａ１（図２（Ｃ）および図３（Ａ）参照）によって反射され、導光レンズ３の出光部３ｂの出光面３ｂ２を透過し、観察位置ＶＰに到達した光によって、輝点Ｐｃａ１が導光レンズ３の出光部３ｂの出光面３ｂ２に形成され、更に、ＬＥＤ光源１ｃから照射され、リフレクタ４の反射面４ａ２（図２（Ｃ）および図３（Ｂ）参照）によって反射され、導光レンズ３の出光部３ｂの出光面３ｂ２を透過し、観察位置ＶＰに到達した光によって、輝点Ｐｃａ２が導光レンズ３の出光部３ｂの出光面３ｂ２に形成され、また、ＬＥＤ光源１ｃから照射され、リフレクタ４の反射面４ａ３（図２（Ｃ）および図３（Ｃ）参照）によって反射され、導光レンズ３の出光部３ｂの出光面３ｂ２を透過し、観察位置ＶＰに到達した光によって、輝点Ｐｃａ３が導光レンズ３の出光部３ｂの出光面３ｂ２に形成される。
【００９３】
更に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１１（Ｂ）に示すように、ＬＥＤ光源１ｃ（図２（Ｃ）参照）から照射され、リフレクタ４（図２および図３参照）の反射面４ｂ１（図２（Ｃ）および図３（Ａ）参照）によって反射され、導光レンズ３の出光部３ｂの出光面３ｂ２を透過し、観察位置ＶＰに到達した光によって、輝点Ｐｃｂ１が導光レンズ３の出光部３ｂの出光面３ｂ２に形成され、更に、ＬＥＤ光源１ｃから照射され、リフレクタ４の反射面４ｂ２（図２（Ｃ）および図３（Ｂ）参照）によって反射され、導光レンズ３の出光部３ｂの出光面３ｂ２を透過し、観察位置ＶＰに到達した光によって、輝点Ｐｃｂ２が導光レンズ３の出光部３ｂの出光面３ｂ２に形成され、また、ＬＥＤ光源１ｃから照射され、リフレクタ４の反射面４ｂ３（図２（Ｃ）および図３（Ｃ）参照）によって反射され、導光レンズ３の出光部３ｂの出光面３ｂ２を透過し、観察位置ＶＰに到達した光によって、輝点Ｐｃｂ３が導光レンズ３の出光部３ｂの出光面３ｂ２に形成される。
【００９４】
また、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１１（Ｂ）に示すように、ＬＥＤ光源１ｃ（図２（Ｃ）参照）から照射され、リフレクタ４（図２および図３参照）の反射面４ｃ１（図２（Ｃ）および図３（Ａ）参照）によって反射され、導光レンズ３の出光部３ｂの出光面３ｂ２を透過し、観察位置ＶＰに到達した光によって、輝点Ｐｃｃ１が導光レンズ３の出光部３ｂの出光面３ｂ２に形成され、更に、ＬＥＤ光源１ｃから照射され、リフレクタ４の反射面４ｃ２（図２（Ｃ）および図３（Ｂ）参照）によって反射され、導光レンズ３の出光部３ｂの出光面３ｂ２を透過し、観察位置ＶＰに到達した光によって、輝点Ｐｃｃ２が導光レンズ３の出光部３ｂの出光面３ｂ２に形成され、また、ＬＥＤ光源１ｃから照射され、リフレクタ４の反射面４ｃ３（図２（Ｃ）および図３（Ｃ）参照）によって反射され、導光レンズ３の出光部３ｂの出光面３ｂ２を透過し、観察位置ＶＰに到達した光によって、輝点Ｐｃｃ３が導光レンズ３の出光部３ｂの出光面３ｂ２に形成される。
【００９５】
更に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１１（Ｂ）に示すように、ＬＥＤ光源１ｃ（図２（Ｃ）参照）から照射され、リフレクタ４（図２および図３参照）の反射面４ｅ１（図２（Ｃ）および図３（Ａ）参照）によって反射され、導光レンズ３の出光部３ｂの出光面３ｂ２を透過し、観察位置ＶＰに到達した光によって、輝点Ｐｃｅ１が導光レンズ３の出光部３ｂの出光面３ｂ２に形成され、更に、ＬＥＤ光源１ｃから照射され、リフレクタ４の反射面４ｅ２（図２（Ｃ）および図３（Ｂ）参照）によって反射され、導光レンズ３の出光部３ｂの出光面３ｂ２を透過し、観察位置ＶＰに到達した光によって、輝点Ｐｃｅ２が導光レンズ３の出光部３ｂの出光面３ｂ２に形成され、また、ＬＥＤ光源１ｃから照射され、リフレクタ４の反射面４ｅ３（図２（Ｃ）および図３（Ｃ）参照）によって反射され、導光レンズ３の出光部３ｂの出光面３ｂ２を透過し、観察位置ＶＰに到達した光によって、輝点Ｐｃｅ３が導光レンズ３の出光部３ｂの出光面３ｂ２に形成される。
【００９６】
同様に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１２（Ａ）に示すように、ＬＥＤ光源１ｄ（図２（Ｃ）参照）から照射され、リフレクタ４（図２および図３参照）の反射面４ａ１（図２（Ｃ）および図３（Ａ）参照）によって反射され、導光レンズ３の出光部３ｂの出光面３ｂ２を透過し、観察位置ＶＰに到達した光によって、輝点Ｐｄａ１が導光レンズ３の出光部３ｂの出光面３ｂ２に形成され、更に、ＬＥＤ光源１ｄから照射され、リフレクタ４の反射面４ａ２（図２（Ｃ）および図３（Ｂ）参照）によって反射され、導光レンズ３の出光部３ｂの出光面３ｂ２を透過し、観察位置ＶＰに到達した光によって、輝点Ｐｄａ２が導光レンズ３の出光部３ｂの出光面３ｂ２に形成され、また、ＬＥＤ光源１ｄから照射され、リフレクタ４の反射面４ａ３（図２（Ｃ）および図３（Ｃ）参照）によって反射され、導光レンズ３の出光部３ｂの出光面３ｂ２を透過し、観察位置ＶＰに到達した光によって、輝点Ｐｄａ３が導光レンズ３の出光部３ｂの出光面３ｂ２に形成される。
【００９７】
また、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１２（Ａ）に示すように、ＬＥＤ光源１ｄ（図２（Ｃ）参照）から照射され、リフレクタ４（図２および図３参照）の反射面４ｂ１（図２（Ｃ）および図３（Ａ）参照）によって反射され、導光レンズ３の出光部３ｂの出光面３ｂ２を透過し、観察位置ＶＰに到達した光によって、輝点Ｐｄｂ１が導光レンズ３の出光部３ｂの出光面３ｂ２に形成され、更に、ＬＥＤ光源１ｄから照射され、リフレクタ４の反射面４ｂ２（図２（Ｃ）および図３（Ｂ）参照）によって反射され、導光レンズ３の出光部３ｂの出光面３ｂ２を透過し、観察位置ＶＰに到達した光によって、輝点Ｐｄｂ２が導光レンズ３の出光部３ｂの出光面３ｂ２に形成され、また、ＬＥＤ光源１ｄから照射され、リフレクタ４の反射面４ｂ３（図２（Ｃ）および図３（Ｃ）参照）によって反射され、導光レンズ３の出光部３ｂの出光面３ｂ２を透過し、観察位置ＶＰに到達した光によって、輝点Ｐｄｂ３が導光レンズ３の出光部３ｂの出光面３ｂ２に形成される。
【００９８】
更に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１２（Ａ）に示すように、ＬＥＤ光源１ｄ（図２（Ｃ）参照）から照射され、リフレクタ４（図２および図３参照）の反射面４ｄ１（図２（Ｃ）および図３（Ａ）参照）によって反射され、導光レンズ３の出光部３ｂの出光面３ｂ２を透過し、観察位置ＶＰに到達した光によって、輝点Ｐｄｄ１が導光レンズ３の出光部３ｂの出光面３ｂ２に形成され、更に、ＬＥＤ光源１ｄから照射され、リフレクタ４の反射面４ｄ２（図２（Ｃ）および図３（Ｂ）参照）によって反射され、導光レンズ３の出光部３ｂの出光面３ｂ２を透過し、観察位置ＶＰに到達した光によって、輝点Ｐｄｄ２が導光レンズ３の出光部３ｂの出光面３ｂ２に形成され、また、ＬＥＤ光源１ｄから照射され、リフレクタ４の反射面４ｄ３（図２（Ｃ）および図３（Ｃ）参照）によって反射され、導光レンズ３の出光部３ｂの出光面３ｂ２を透過し、観察位置ＶＰに到達した光によって、輝点Ｐｄｄ３が導光レンズ３の出光部３ｂの出光面３ｂ２に形成される。
【００９９】
同様に、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１２（Ｂ）に示すように、ＬＥＤ光源１ｅ（図２（Ｃ）参照）から照射され、リフレクタ４（図２および図３参照）の反射面４ａ１（図２（Ｃ）および図３（Ａ）参照）によって反射され、導光レンズ３の出光部３ｂの出光面３ｂ２を透過し、観察位置ＶＰに到達した光によって、輝点Ｐｅａ１が導光レンズ３の出光部３ｂの出光面３ｂ２に形成され、更に、ＬＥＤ光源１ｅから照射され、リフレクタ４の反射面４ａ２（図２（Ｃ）および図３（Ｂ）参照）によって反射され、導光レンズ３の出光部３ｂの出光面３ｂ２を透過し、観察位置ＶＰに到達した光によって、輝点Ｐｅａ２が導光レンズ３の出光部３ｂの出光面３ｂ２に形成され、また、ＬＥＤ光源１ｅから照射され、リフレクタ４の反射面４ａ３（図２（Ｃ）および図３（Ｃ）参照）によって反射され、導光レンズ３の出光部３ｂの出光面３ｂ２を透過し、観察位置ＶＰに到達した光によって、輝点Ｐｅａ３が導光レンズ３の出光部３ｂの出光面３ｂ２に形成される。
【０１００】
また、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１２（Ｂ）に示すように、ＬＥＤ光源１ｅ（図２（Ｃ）参照）から照射され、リフレクタ４（図２および図３参照）の反射面４ｃ１（図２（Ｃ）および図３（Ａ）参照）によって反射され、導光レンズ３の出光部３ｂの出光面３ｂ２を透過し、観察位置ＶＰに到達した光によって、輝点Ｐｅｃ１が導光レンズ３の出光部３ｂの出光面３ｂ２に形成され、更に、ＬＥＤ光源１ｅから照射され、リフレクタ４の反射面４ｃ２（図２（Ｃ）および図３（Ｂ）参照）によって反射され、導光レンズ３の出光部３ｂの出光面３ｂ２を透過し、観察位置ＶＰに到達した光によって、輝点Ｐｅｃ２が導光レンズ３の出光部３ｂの出光面３ｂ２に形成され、また、ＬＥＤ光源１ｅから照射され、リフレクタ４の反射面４ｃ３（図２（Ｃ）および図３（Ｃ）参照）によって反射され、導光レンズ３の出光部３ｂの出光面３ｂ２を透過し、観察位置ＶＰに到達した光によって、輝点Ｐｅｃ３が導光レンズ３の出光部３ｂの出光面３ｂ２に形成される。
【０１０１】
また、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図９参照）から導光レンズ３の出光部３ｂの出光面３ｂ２を見ると、図１２（Ｂ）に示すように、ＬＥＤ光源１ｅ（図２（Ｃ）参照）から照射され、リフレクタ４（図２および図３参照）の反射面４ｅ１（図２（Ｃ）および図３（Ａ）参照）によって反射され、導光レンズ３の出光部３ｂの出光面３ｂ２を透過し、観察位置ＶＰに到達した光によって、輝点Ｐｅｅ１が導光レンズ３の出光部３ｂの出光面３ｂ２に形成され、更に、ＬＥＤ光源１ｅから照射され、リフレクタ４の反射面４ｅ２（図２（Ｃ）および図３（Ｂ）参照）によって反射され、導光レンズ３の出光部３ｂの出光面３ｂ２を透過し、観察位置ＶＰに到達した光によって、輝点Ｐｅｅ２が導光レンズ３の出光部３ｂの出光面３ｂ２に形成され、また、ＬＥＤ光源１ｅから照射され、リフレクタ４の反射面４ｅ３（図２（Ｃ）および図３（Ｃ）参照）によって反射され、導光レンズ３の出光部３ｂの出光面３ｂ２を透過し、観察位置ＶＰに到達した光によって、輝点Ｐｅｅ３が導光レンズ３の出光部３ｂの出光面３ｂ２に形成される。
【０１０２】
つまり、第１の実施形態のＬＥＤ照明装置１００では、第１モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図５参照）から導光レンズ３の出光部３ｂの出光面３ｂ２を見ると、図８に示す輝線ＢＬａ１，ＢＬｂ１，ＢＬｃ１，ＢＬｄ１，ＢＬｅ１と、図１０に示す輝点Ｐａａ１，Ｐａａ２，Ｐａａ３，Ｐａｂ１，Ｐａｂ２，Ｐａｂ３，Ｐａｃ１，Ｐａｃ２，Ｐａｃ３，Ｐａｄ１，Ｐａｄ２，Ｐａｄ３，Ｐａｅ１，Ｐａｅ２，Ｐａｅ３と、図１１（Ａ）に示す輝点Ｐｂａ１，Ｐｂａ２，Ｐｂａ３，Ｐｂｂ１，Ｐｂｂ２，Ｐｂｂ３，Ｐｂｃ１，Ｐｂｃ２，Ｐｂｃ３，Ｐｂｄ１，Ｐｂｄ２，Ｐｂｄ３と、図１１（Ｂ）に示す輝点Ｐｃａ１，Ｐｃａ２，Ｐｃａ３，Ｐｃｂ１，Ｐｃｂ２，Ｐｃｂ３，Ｐｃｃ１，Ｐｃｃ２，Ｐｃｃ３，Ｐｃｅ１，Ｐｃｅ２，Ｐｃｅ３と、図１２（Ａ）に示す輝点Ｐｄａ１，Ｐｄａ２，Ｐｄａ３，Ｐｄｂ１，Ｐｄｂ２，Ｐｄｂ３，Ｐｄｄ１，Ｐｄｄ２，Ｐｄｄ３と、図１２（Ｂ）に示す輝点Ｐｅａ１，Ｐｅａ２，Ｐｅａ３，Ｐｅｃ１，Ｐｅｃ２，Ｐｅｃ３，Ｐｅｅ１，Ｐｅｅ２，Ｐｅｅ３とがマージされた状態になる。
【０１０３】
更に、第１の実施形態のＬＥＤ照明装置１００では、第１モード時に、図１（Ｂ）および図５に示す観察位置ＶＰとは異なる位置に観察位置を移動させ、移動後の観察位置（図示せず）から導光レンズ３の出光部３ｂの出光面３ｂ２を見ると、ＬＥＤ光源１ａ，１ｂ，１ｃ，１ｄ，１ｅ（図２（Ｃ）参照）から照射されて移動後の観察位置（図示せず）に到達する光によって輝線（図示せず）および輝点（図示せず）が形成される。詳細には、移動後の観察位置（図示せず）に到達する光によって形成される輝線（図示せず）および輝点（図示せず）の位置が、図８に示す輝線ＢＬａ１，…、図１０に示す輝点Ｐａａ１，…、図１１（Ａ）に示す輝点Ｐｂａ１，…、図１１（Ｂ）に示す輝点Ｐｃａ１，…、図１２（Ａ）に示す輝点Ｐｄａ１，…および図１２（Ｂ）に示す輝点Ｐｅａ１，…の位置から少しずれた位置になる。つまり、第１の実施形態のＬＥＤ照明装置１００では、第１モード時に観察位置ＶＰを移動させると、それに伴って、導光レンズ３の出光部３ｂの出光面３ｂ２に形成される輝線ＢＬａ１（図８参照），…および輝点Ｐａａ１（図１０参照），…，Ｐｂａ１（図１１（Ａ）参照），…，Ｐｃａ１（図１１（Ｂ）参照），…，Ｐｄａ１（図１２（Ａ）参照），…，Ｐｅａ１（図１２（Ｂ）参照），…の位置が変化する。
【０１０４】
更に、第１の実施形態のＬＥＤ照明装置１００では、ＬＥＤ光源１ａ，１ｂ，１ｃ，１ｄ，１ｅ（図２（Ｃ）参照）と導光レンズ３（図２（Ｂ）および図４（Ａ）参照）の出光部３ｂ（図４（Ａ）参照）の反射面３ｂ１（図４（Ａ）参照）とが対向せしめられる第２モード時に、図１３（Ａ）に示すように、例えば、ＬＥＤ光源１ａ（図２参照）の光軸１ａ’と例えば約７０°の角度をなしてＬＥＤ光源１ａの発光中心１ａ１から左前側（図１３（Ａ）の左下側）に照射され、ＬＥＤ光源１ａの発光中心１ａ１を含む水平面Ｓａ（図１（Ｂ）および図２（Ｃ）参照）内を進む光が、導光レンズ３の入光部３ａの入光面３ａ２（図４（Ｂ）参照）を透過し、導光レンズ３の入光部３ａの反射面３ａ３（図４（Ｂ）参照）によって内面反射され、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過して透過光Ｌａ７Ｌ’となり、水平面Ｓａ内の観察位置ＶＰに到達する。
【０１０５】
また、第１の実施形態のＬＥＤ照明装置１００では、第２モード時に、図１３（Ｂ）に示すように、例えば、ＬＥＤ光源１ａ（図２参照）の光軸１ａ’と例えば約８０°の角度をなしてＬＥＤ光源１ａの発光中心１ａ１から左前側（図１３（Ｂ）の左下側）に照射され、ＬＥＤ光源１ａの発光中心１ａ１を含む水平面Ｓａ（図１（Ｂ）および図２（Ｃ）参照）内を進む光が、導光レンズ３の入光部３ａの入光面３ａ２（図４（Ｂ）参照）を透過し、導光レンズ３の入光部３ａの反射面３ａ３（図４（Ｂ）参照）によって内面反射され、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過して透過光Ｌａ８Ｌ’となり、水平面Ｓａ内の観察位置ＶＰに到達する。
【０１０６】
ところで、第１の実施形態のＬＥＤ照明装置１００の第２モード時には、第１の実施形態のＬＥＤ照明装置１００の第１モード時に導光レンズ３（図４参照）の入光部３ａ（図４（Ａ）参照）を介して導光レンズ３に入光することができるＬＥＤ光源１ａ（図２参照）からの光の一部（詳細には、例えば図５（Ａ）に示すＬＥＤ光源１ａの発光中心１ａ１から照射され、ＬＥＤ光源１ａの光軸１ａ’上を進む光Ｌａ０、例えば図５（Ｂ）に示すＬＥＤ光源１ａの光軸１ａ’と例えば約２０°の角度をなしてＬＥＤ光源１ａの発光中心１ａ１から右前側に照射され、水平面Ｓａ（図１（Ｂ）および図２（Ｃ）参照）内を進む光Ｌａ２Ｒ、例えば図６（Ａ）に示すＬＥＤ光源１ａの光軸１ａ’と例えば約２０°の角度をなしてＬＥＤ光源１ａの発光中心１ａ１から左前側に照射され、水平面Ｓａ内を進む光Ｌａ２Ｌなど）が、導光レンズ３（図４参照）の入光部３ａ（図４（Ａ）参照）を介して導光レンズ３に入光することができない。
【０１０７】
そのため、第１の実施形態のＬＥＤ照明装置１００の第２モード時には、ＬＥＤ光源１ａ（図２参照）から照射され、導光レンズ３（図４参照）の入光部３ａ（図４（Ａ）参照）を透過し、導光レンズ３の反射部３ｃ（図４（Ａ）参照）によって内面反射され、導光レンズ３の出光部３ｂ（図４（Ａ）参照）の反射面３ｂ１（図４（Ａ）および図４（Ｃ）参照）のプリズムカット３ｂ１ａ（図４（Ｃ）参照）によって内面反射され、導光レンズ３の出光部３ｂの出光面３ｂ２（図４（Ａ）および図４（Ｂ）参照）を透過する光Ｌａ７Ｌ’（図１３（Ａ）参照），Ｌａ８Ｌ’（図１３（Ｂ）参照）…が、第１モード時より減少する。
【０１０８】
その結果、第１の実施形態のＬＥＤ照明装置１００の第２モード時には、観察位置ＶＰ（図１（Ｂ）および図１３参照）から導光レンズ３（図１３参照）の出光部３ｂ（図１３参照）の出光面３ｂ２（図１３参照）を見ると、ＬＥＤ光源１ａ（図２参照）から照射され、導光レンズ３の入光部３ａ（図１３参照）を透過し、導光レンズ３の反射部３ｃ（図１３参照）によって内面反射され、導光レンズ３の出光部３ｂの反射面３ｂ１（図１３参照）のプリズムカット３ｂ１ａ（図４（Ｃ）参照）によって内面反射され、導光レンズ３の出光部３ｂの出光面３ｂ２を透過した光Ｌａ７Ｌ’，Ｌａ８Ｌ’…によって、図１４に示すように、導光レンズ３の出光部３ｂの反射面３ｂ１のプリズムカット３ｂ１ａの稜線３ｂ１ａ１（図４（Ｃ）参照）に概略垂直な向きに延びている輝線ＢＬａ２であって、輝線ＢＬａ１（図８参照）より暗い輝線ＢＬａ２が、導光レンズ３の出光部３ｂの出光面３ｂ２に形成される。
【０１０９】
同様に、第１の実施形態のＬＥＤ照明装置１００の第２モード時には、ＬＥＤ光源１ｂ，１ｃ，１ｄ，１ｅ（図２（Ｃ）参照）から照射され、導光レンズ３（図４参照）の入光部３ａ（図４（Ａ）参照）を透過し、導光レンズ３の反射部３ｃ（図４（Ａ）参照）によって内面反射され、導光レンズ３の出光部３ｂ（図４（Ａ）参照）の反射面３ｂ１（図４（Ａ）および図４（Ｃ）参照）のプリズムカット３ｂ１ａ（図４（Ｃ）参照）によって内面反射され、導光レンズ３の出光部３ｂの出光面３ｂ２（図４（Ａ）および図４（Ｂ）参照）を透過する光が、第１モード時より減少する。
【０１１０】
その結果、第１の実施形態のＬＥＤ照明装置１００の第２モード時には、観察位置ＶＰ（図１（Ｂ）および図１３参照）から導光レンズ３（図４参照）の出光部３ｂ（図４（Ａ）参照）の出光面３ｂ２（図４（Ａ）および図４（Ｂ）参照）を見ると、ＬＥＤ光源１ｂ（図２（Ｃ）参照）から照射され、導光レンズ３の入光部３ａ（図４（Ａ）参照）を透過し、導光レンズ３の反射部３ｃ（図４（Ａ）参照）によって内面反射され、導光レンズ３の出光部３ｂの反射面３ｂ１（図４（Ａ）および図４（Ｃ）参照）のプリズムカット３ｂ１ａ（図４（Ｃ）参照）によって内面反射され、導光レンズ３の出光部３ｂの出光面３ｂ２を透過した光によって、図１４に示すように、右下がりに延びている輝線ＢＬｂ２であって、輝線ＢＬｂ１（図８参照）より暗い輝線ＢＬｂ２が、導光レンズ３の出光部３ｂの出光面３ｂ２に形成される。
【０１１１】
また、第１の実施形態のＬＥＤ照明装置１００の第２モード時には、観察位置ＶＰ（図１（Ｂ）および図１３参照）から導光レンズ３（図４参照）の出光部３ｂ（図４（Ａ）参照）の出光面３ｂ２（図４（Ａ）および図４（Ｂ）参照）を見ると、ＬＥＤ光源１ｄ（図２（Ｃ）参照）から照射され、導光レンズ３の入光部３ａ（図４（Ａ）参照）を透過し、導光レンズ３の反射部３ｃ（図４（Ａ）参照）によって内面反射され、導光レンズ３の出光部３ｂの反射面３ｂ１（図４（Ａ）および図４（Ｃ）参照）のプリズムカット３ｂ１ａ（図４（Ｃ）参照）によって内面反射され、導光レンズ３の出光部３ｂの出光面３ｂ２を透過した光によって、図１４に示すように、右下がりに延びている輝線ＢＬｄ２であって、輝線ＢＬｄ１（図８参照）より暗い輝線ＢＬｄ２が、導光レンズ３の出光部３ｂの出光面３ｂ２に形成される。
【０１１２】
更に、第１の実施形態のＬＥＤ照明装置１００の第２モード時には、観察位置ＶＰ（図１（Ｂ）および図１３参照）から導光レンズ３（図４参照）の出光部３ｂ（図４（Ａ）参照）の出光面３ｂ２（図４（Ａ）および図４（Ｂ）参照）を見ると、ＬＥＤ光源１ｃ（図２（Ｃ）参照）から照射され、導光レンズ３の入光部３ａ（図４（Ａ）参照）を透過し、導光レンズ３の反射部３ｃ（図４（Ａ）参照）によって内面反射され、導光レンズ３の出光部３ｂの反射面３ｂ１（図４（Ａ）および図４（Ｃ）参照）のプリズムカット３ｂ１ａ（図４（Ｃ）参照）によって内面反射され、導光レンズ３の出光部３ｂの出光面３ｂ２を透過した光によって、図１４に示すように、右上がりに延びている輝線ＢＬｃ２であって、輝線ＢＬｃ１（図８参照）より暗い輝線ＢＬｃ２が、導光レンズ３の出光部３ｂの出光面３ｂ２に形成される。
【０１１３】
また、第１の実施形態のＬＥＤ照明装置１００の第２モード時には、観察位置ＶＰ（図１（Ｂ）および図１３参照）から導光レンズ３（図４参照）の出光部３ｂ（図４（Ａ）参照）の出光面３ｂ２（図４（Ａ）および図４（Ｂ）参照）を見ると、ＬＥＤ光源１ｅ（図２（Ｃ）参照）から照射され、導光レンズ３の入光部３ａ（図４（Ａ）参照）を透過し、導光レンズ３の反射部３ｃ（図４（Ａ）参照）によって内面反射され、導光レンズ３の出光部３ｂの反射面３ｂ１（図４（Ａ）および図４（Ｃ）参照）のプリズムカット３ｂ１ａ（図４（Ｃ）参照）によって内面反射され、導光レンズ３の出光部３ｂの出光面３ｂ２を透過した光によって、図１４に示すように、右上がりに延びている輝線ＢＬｅ２であって、輝線ＢＬｅ１（図８参照）より暗い輝線ＢＬｅ２が、導光レンズ３の出光部３ｂの出光面３ｂ２に形成される。
【０１１４】
第１の実施形態のＬＥＤ照明装置１００では、第２モード時に、ＬＥＤ光源１ａ，１ｂ，１ｃ，１ｄ，１ｅ（図２（Ｃ）参照）から照射された光の一部が、導光レンズ３（図４（Ａ）参照）の入光部３ａ（図４（Ａ）参照）を透過し、導光レンズ３の反射部３ｃ（図４（Ａ）参照）によって内面反射され、導光レンズ３の出光部３ｂ（図４（Ａ）参照）の反射面３ｂ１（図４（Ａ）および図４（Ｃ）参照）のプリズムカット３ｂ１ａ（図４（Ｃ）参照）によって内面反射され、導光レンズ３の出光部３ｂの出光面３ｂ２（図４（Ａ）および図４（Ｂ）参照）を透過し、観察位置ＶＰ（図１（Ｂ）および図１３参照）に到達するように、ＬＥＤ光源１ａ，１ｂ，１ｃ，１ｄ，１ｅと導光レンズ３との相対位置関係が設定されているが、第９の実施形態のＬＥＤ照明装置１００では、代わりに、第２モード時に、ＬＥＤ光源１ａ，１ｂ，１ｃ，１ｄ，１ｅから照射された光が、導光レンズ３の入光部３ａを介して導光レンズ３に入光しないように、ＬＥＤ光源１ａ，１ｂ，１ｃ，１ｄ，１ｅと導光レンズ３との相対位置関係を設定することも可能である。第９の実施形態のＬＥＤ照明装置１００の第２モード時には、導光レンズ３の出光部３ｂの出光面３ｂ２に輝線ＢＬａ２，ＢＬｂ２，ＢＬｃ２，ＢＬｄ２，ＢＬｅ２（図１４参照）が形成されない。
【０１１５】
更に、第１の実施形態のＬＥＤ照明装置１００では、第２モード時に、図１５に示すように、例えば、ＬＥＤ光源１ａ（図２参照）の光軸１ａ’と例えば約３０°の角度をなしてＬＥＤ光源１ａの発光中心１ａ１から右前側（図１５の右下側）に照射され、ＬＥＤ光源１ａの発光中心１ａ１を含む水平面Ｓａ（図１（Ｂ）および図２（Ｃ）参照）内を進む光が、導光レンズ３の出光部３ｂの反射面３ｂ１のプリズムカット３ｂ１ａ（図４（Ｃ）参照）によって外面反射され、リフレクタ４の反射面４ａ１によって反射され、導光レンズ３の出光部３ｂの反射面３ｂ１のプリズムカット３ｂ１ａを透過し、導光レンズ３の出光部３ｂの出光面３ｂ２を透過して透過光Ｌａ３Ｒ’となり、水平面Ｓａ内の観察位置ＶＰに到達する。
【０１１６】
その結果、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１５参照）から導光レンズ３の出光部３ｂの出光面３ｂ２を見ると、ＬＥＤ光源１ａから照射され、リフレクタ４の反射面４ａ１によって反射され、導光レンズ３の出光部３ｂの出光面３ｂ２を透過し、観察位置ＶＰに到達した光Ｌａ３Ｒ’（図１５参照）…によって、図１６に示すように、輝点Ｐａａ１’が、導光レンズ３の出光部３ｂの出光面３ｂ２に形成される。
【０１１７】
また、第１の実施形態のＬＥＤ照明装置１００では、第２モード時に、図１５に示すように、例えば、ＬＥＤ光源１ａ（図２参照）の光軸１ａ’と例えば約４５°の角度をなしてＬＥＤ光源１ａの発光中心１ａ１から右前側（図１５の右下側）に照射され、ＬＥＤ光源１ａの発光中心１ａ１を含む水平面Ｓａ（図１（Ｂ）および図２（Ｃ）参照）内を進む光が、導光レンズ３の出光部３ｂの反射面３ｂ１のプリズムカット３ｂ１ａ（図４（Ｃ）参照）によって外面反射され、リフレクタ４の反射面４ａ２によって反射され、導光レンズ３の出光部３ｂの反射面３ｂ１のプリズムカット３ｂ１ａを透過し、導光レンズ３の出光部３ｂの出光面３ｂ２を透過して透過光Ｌａ４Ｒ’となり、水平面Ｓａ内の観察位置ＶＰに到達する。
【０１１８】
その結果、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１５参照）から導光レンズ３の出光部３ｂの出光面３ｂ２を見ると、ＬＥＤ光源１ａから照射され、リフレクタ４の反射面４ａ２によって反射され、導光レンズ３の出光部３ｂの出光面３ｂ２を透過し、観察位置ＶＰに到達した光Ｌａ４Ｒ’（図１５参照）…によって、図１６に示すように、輝点Ｐａａ２’が、導光レンズ３の出光部３ｂの出光面３ｂ２に形成される。
【０１１９】
更に、第１の実施形態のＬＥＤ照明装置１００では、第２モード時に、図１５に示すように、例えば、ＬＥＤ光源１ａ（図２参照）の光軸１ａ’と例えば約５５°の角度をなしてＬＥＤ光源１ａの発光中心１ａ１から右前側（図１５の右下側）に照射され、ＬＥＤ光源１ａの発光中心１ａ１を含む水平面Ｓａ（図１（Ｂ）および図２（Ｃ）参照）内を進む光が、導光レンズ３の出光部３ｂの反射面３ｂ１のプリズムカット３ｂ１ａ（図４（Ｃ）参照）によって外面反射され、リフレクタ４の反射面４ａ３によって反射され、導光レンズ３の出光部３ｂの反射面３ｂ１のプリズムカット３ｂ１ａを透過し、導光レンズ３の出光部３ｂの出光面３ｂ２を透過して透過光Ｌａ５Ｒ’となり、水平面Ｓａ内の観察位置ＶＰに到達する。
【０１２０】
その結果、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１５参照）から導光レンズ３の出光部３ｂの出光面３ｂ２を見ると、ＬＥＤ光源１ａから照射され、リフレクタ４の反射面４ａ３によって反射され、導光レンズ３の出光部３ｂの出光面３ｂ２を透過し、観察位置ＶＰに到達した光Ｌａ５Ｒ’（図１５参照）…によって、図１６に示すように、輝点Ｐａａ３’が、導光レンズ３の出光部３ｂの出光面３ｂ２に形成される。
【０１２１】
同様に、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１５参照）から導光レンズ３の出光部３ｂの出光面３ｂ２を見ると、図１６に示すように、ＬＥＤ光源１ａ（図２（Ｃ）参照）から照射され、リフレクタ４（図２（Ｃ）参照）の反射面４ｂ１，４ｂ２，４ｂ３（図２（Ｃ）および図３参照）によって反射され、導光レンズ３の出光部３ｂの出光面３ｂ２を透過し、観察位置ＶＰに到達した光によって、輝点Ｐａｂ１’，Ｐａｂ２’，Ｐａｂ３’が導光レンズ３の出光部３ｂの出光面３ｂ２に形成され、更に、ＬＥＤ光源１ａから照射され、リフレクタ４の反射面４ｃ１，４ｃ２，４ｃ３（図２（Ｃ）および図３参照）によって反射され、導光レンズ３の出光部３ｂの出光面３ｂ２を透過し、観察位置ＶＰに到達した光によって、輝点Ｐａｃ１’，Ｐａｃ２’，Ｐａｃ３’が導光レンズ３の出光部３ｂの出光面３ｂ２に形成され、また、ＬＥＤ光源１ａから照射され、リフレクタ４の反射面４ｄ１，４ｄ２，４ｄ３（図２（Ｃ）および図３参照）によって反射され、導光レンズ３の出光部３ｂの出光面３ｂ２を透過し、観察位置ＶＰに到達した光によって、輝点Ｐａｄ１’，Ｐａｄ２’，Ｐａｄ３’が導光レンズ３の出光部３ｂの出光面３ｂ２に形成され、更に、ＬＥＤ光源１ａから照射され、リフレクタ４の反射面４ｅ１，４ｅ２，４ｅ３（図２（Ｃ）および図３参照）によって反射され、導光レンズ３の出光部３ｂの出光面３ｂ２を透過し、観察位置ＶＰに到達した光によって、輝点Ｐａｅ１’，Ｐａｅ２’，Ｐａｅ３’が導光レンズ３の出光部３ｂの出光面３ｂ２に形成される。
【０１２２】
更に、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１５参照）から導光レンズ３の出光部３ｂの出光面３ｂ２を見ると、図１７（Ａ）に示すように、ＬＥＤ光源１ｂ（図２（Ｃ）参照）から照射され、リフレクタ４（図２（Ｃ）参照）の反射面４ａ１，４ａ２，４ａ３（図２（Ｃ）および図３参照）によって反射され、導光レンズ３の出光部３ｂの出光面３ｂ２を透過し、観察位置ＶＰに到達した光によって、輝点Ｐｂａ１’，Ｐｂａ２’，Ｐｂａ３’が導光レンズ３の出光部３ｂの出光面３ｂ２に形成され、また、ＬＥＤ光源１ｂ（図２（Ｃ）参照）から照射され、リフレクタ４（図２（Ｃ）参照）の反射面４ｂ１，４ｂ２，４ｂ３（図２（Ｃ）および図３参照）によって反射され、導光レンズ３の出光部３ｂの出光面３ｂ２を透過し、観察位置ＶＰに到達した光によって、輝点Ｐｂｂ１’，Ｐｂｂ２’，Ｐｂｂ３’が導光レンズ３の出光部３ｂの出光面３ｂ２に形成され、更に、ＬＥＤ光源１ｂから照射され、リフレクタ４の反射面４ｃ１，４ｃ２，４ｃ３（図２（Ｃ）および図３参照）によって反射され、導光レンズ３の出光部３ｂの出光面３ｂ２を透過し、観察位置ＶＰに到達した光によって、輝点Ｐｂｃ１’，Ｐｂｃ２’，Ｐｂｃ３’が導光レンズ３の出光部３ｂの出光面３ｂ２に形成され、また、ＬＥＤ光源１ｂから照射され、リフレクタ４の反射面４ｄ１，４ｄ２，４ｄ３（図２（Ｃ）および図３参照）によって反射され、導光レンズ３の出光部３ｂの出光面３ｂ２を透過し、観察位置ＶＰに到達した光によって、輝点Ｐｂｄ１’，Ｐｂｄ２’，Ｐｂｄ３’が導光レンズ３の出光部３ｂの出光面３ｂ２に形成される。
【０１２３】
また、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１５参照）から導光レンズ３の出光部３ｂの出光面３ｂ２を見ると、図１７（Ｂ）に示すように、ＬＥＤ光源１ｃ（図２（Ｃ）参照）から照射され、リフレクタ４（図２（Ｃ）参照）の反射面４ａ１，４ａ２，４ａ３（図２（Ｃ）および図３参照）によって反射され、導光レンズ３の出光部３ｂの出光面３ｂ２を透過し、観察位置ＶＰに到達した光によって、輝点Ｐｃａ１’，Ｐｃａ２’，Ｐｃａ３’が導光レンズ３の出光部３ｂの出光面３ｂ２に形成され、また、ＬＥＤ光源１ｃ（図２（Ｃ）参照）から照射され、リフレクタ４（図２（Ｃ）参照）の反射面４ｂ１，４ｂ２，４ｂ３（図２（Ｃ）および図３参照）によって反射され、導光レンズ３の出光部３ｂの出光面３ｂ２を透過し、観察位置ＶＰに到達した光によって、輝点Ｐｃｂ１’，Ｐｃｂ２’，Ｐｃｂ３’が導光レンズ３の出光部３ｂの出光面３ｂ２に形成され、更に、ＬＥＤ光源１ｃから照射され、リフレクタ４の反射面４ｃ１，４ｃ２，４ｃ３（図２（Ｃ）および図３参照）によって反射され、導光レンズ３の出光部３ｂの出光面３ｂ２を透過し、観察位置ＶＰに到達した光によって、輝点Ｐｃｃ１’，Ｐｃｃ２’，Ｐｃｃ３’が導光レンズ３の出光部３ｂの出光面３ｂ２に形成され、また、ＬＥＤ光源１ｃから照射され、リフレクタ４の反射面４ｅ１，４ｅ２，４ｅ３（図２（Ｃ）および図３参照）によって反射され、導光レンズ３の出光部３ｂの出光面３ｂ２を透過し、観察位置ＶＰに到達した光によって、輝点Ｐｃｅ１’，Ｐｃｅ２’，Ｐｃｅ３’が導光レンズ３の出光部３ｂの出光面３ｂ２に形成される。
【０１２４】
更に、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１５参照）から導光レンズ３の出光部３ｂの出光面３ｂ２を見ると、図１８（Ａ）に示すように、ＬＥＤ光源１ｄ（図２（Ｃ）参照）から照射され、リフレクタ４（図２（Ｃ）参照）の反射面４ａ１，４ａ２，４ａ３（図２（Ｃ）および図３参照）によって反射され、導光レンズ３の出光部３ｂの出光面３ｂ２を透過し、観察位置ＶＰに到達した光によって、輝点Ｐｄａ１’，Ｐｄａ２’，Ｐｄａ３’が導光レンズ３の出光部３ｂの出光面３ｂ２に形成され、また、ＬＥＤ光源１ｄ（図２（Ｃ）参照）から照射され、リフレクタ４（図２（Ｃ）参照）の反射面４ｂ１，４ｂ２，４ｂ３（図２（Ｃ）および図３参照）によって反射され、導光レンズ３の出光部３ｂの出光面３ｂ２を透過し、観察位置ＶＰに到達した光によって、輝点Ｐｄｂ１’，Ｐｄｂ２’，Ｐｄｂ３’が導光レンズ３の出光部３ｂの出光面３ｂ２に形成され、更に、ＬＥＤ光源１ｄから照射され、リフレクタ４の反射面４ｄ１，４ｄ２，４ｄ３（図２（Ｃ）および図３参照）によって反射され、導光レンズ３の出光部３ｂの出光面３ｂ２を透過し、観察位置ＶＰに到達した光によって、輝点Ｐｄｄ１’，Ｐｄｄ２’，Ｐｄｄ３’が導光レンズ３の出光部３ｂの出光面３ｂ２に形成される。
【０１２５】
また、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１５参照）から導光レンズ３の出光部３ｂの出光面３ｂ２を見ると、図１８（Ｂ）に示すように、ＬＥＤ光源１ｅ（図２（Ｃ）参照）から照射され、リフレクタ４（図２（Ｃ）参照）の反射面４ａ１，４ａ２，４ａ３（図２（Ｃ）および図３参照）によって反射され、導光レンズ３の出光部３ｂの出光面３ｂ２を透過し、観察位置ＶＰに到達した光によって、輝点Ｐｅａ１’，Ｐｅａ２’，Ｐｅａ３’が導光レンズ３の出光部３ｂの出光面３ｂ２に形成され、更に、ＬＥＤ光源１ｅから照射され、リフレクタ４の反射面４ｃ１，４ｃ２，４ｃ３（図２（Ｃ）および図３参照）によって反射され、導光レンズ３の出光部３ｂの出光面３ｂ２を透過し、観察位置ＶＰに到達した光によって、輝点Ｐｅｃ１’，Ｐｅｃ２’，Ｐｅｃ３’が導光レンズ３の出光部３ｂの出光面３ｂ２に形成され、また、ＬＥＤ光源１ｅから照射され、リフレクタ４の反射面４ｅ１，４ｅ２，４ｅ３（図２（Ｃ）および図３参照）によって反射され、導光レンズ３の出光部３ｂの出光面３ｂ２を透過し、観察位置ＶＰに到達した光によって、輝点Ｐｅｅ１’，Ｐｅｅ２’，Ｐｅｅ３’が導光レンズ３の出光部３ｂの出光面３ｂ２に形成される。
【０１２６】
つまり、第１の実施形態のＬＥＤ照明装置１００では、第２モード時に、導光レンズ３（図１（Ｂ）および図４（Ａ）参照）の出光部３ｂ（図４（Ａ）参照）の出光面３ｂ２（図１（Ｂ）および図４（Ａ）参照）に対向する観察位置ＶＰ（図１（Ｂ）および図１３参照）から導光レンズ３の出光部３ｂの出光面３ｂ２を見ると、図１４に示す輝線ＢＬａ２，ＢＬｂ２，ＢＬｃ２，ＢＬｄ２，ＢＬｅ２と、図１６に示す輝点Ｐａａ１’，Ｐａａ２’，Ｐａａ３’，Ｐａｂ１’，Ｐａｂ２’，Ｐａｂ３’，Ｐａｃ１’，Ｐａｃ２’，Ｐａｃ３’，Ｐａｄ１’，Ｐａｄ２’，Ｐａｄ３’，Ｐａｅ１’，Ｐａｅ２’，Ｐａｅ３’と、図１７（Ａ）に示す輝点Ｐｂａ１’，Ｐｂａ２’，Ｐｂａ３’，Ｐｂｂ１’，Ｐｂｂ２’，Ｐｂｂ３’，Ｐｂｃ１’，Ｐｂｃ２’，Ｐｂｃ３’，Ｐｂｄ１’，Ｐｂｄ２’，Ｐｂｄ３’と、図１７（Ｂ）に示す輝点Ｐｃａ１’，Ｐｃａ２’，Ｐｃａ３’，Ｐｃｂ１’，Ｐｃｂ２’，Ｐｃｂ３’，Ｐｃｃ１’，Ｐｃｃ２’，Ｐｃｃ３’，Ｐｃｅ１’，Ｐｃｅ２’，Ｐｃｅ３’と、図１８（Ａ）に示す輝点Ｐｄａ１’，Ｐｄａ２’，Ｐｄａ３’，Ｐｄｂ１’，Ｐｄｂ２’，Ｐｄｂ３’，Ｐｄｄ１’，Ｐｄｄ２’，Ｐｄｄ３’と、図１８（Ｂ）に示す輝点Ｐｅａ１’，Ｐｅａ２’，Ｐｅａ３’，Ｐｅｃ１’，Ｐｅｃ２’，Ｐｅｃ３’，Ｐｅｅ１’，Ｐｅｅ２’，Ｐｅｅ３’とがマージされた状態になる。
【０１２７】
更に、第１の実施形態のＬＥＤ照明装置１００では、第２モード時に、図１（Ｂ）および図１３に示す観察位置ＶＰとは異なる位置に観察位置を移動させ、移動後の観察位置（図示せず）から導光レンズ３の出光部３ｂの出光面３ｂ２を見ると、ＬＥＤ光源１ａ，１ｂ，１ｃ，１ｄ，１ｅ（図２（Ｃ）参照）から照射されて移動後の観察位置（図示せず）に到達する光によって輝線（図示せず）および輝点（図示せず）が形成される。詳細には、移動後の観察位置（図示せず）に到達する光によって形成される輝線（図示せず）および輝点（図示せず）の位置が、図１４に示す輝線ＢＬａ２，…、図１６に示す輝点Ｐａａ１’，…、図１７（Ａ）に示す輝点Ｐｂａ１’，…、図１７（Ｂ）に示す輝点Ｐｃａ１’，…、図１８（Ａ）に示す輝点Ｐｄａ１’，…および図１８（Ｂ）に示す輝点Ｐｅａ１’，…の位置から少しずれた位置になる。つまり、第１の実施形態のＬＥＤ照明装置１００では、第２モード時に観察位置ＶＰを移動させると、それに伴って、導光レンズ３の出光部３ｂの出光面３ｂ２に形成される輝線ＢＬａ２（図１４参照），…および輝点Ｐａａ１’（図１６参照），…，Ｐｂａ１’（図１７（Ａ）参照），…，Ｐｃａ１’（図１７（Ｂ）参照），…，Ｐｄａ１’（図１８（Ａ）参照），…，Ｐｅａ１’（図１８（Ｂ）参照），…の位置が変化する。
【０１２８】
第１０の実施形態では、上述した第１から第９の実施形態および各例を適宜組み合わせることも可能である。
【産業上の利用可能性】
【０１２９】
本発明のＬＥＤ照明装置は、例えば車両用灯具、一般照明装置などのような観察者に発光状態を見せるための照明装置に適用可能である。
【符号の説明】
【０１３０】
１ａ，１ｂ，１ｃ，１ｄ，１ｅ  ＬＥＤ光源
１ａ１                        発光中心
１ａ’                        光軸
２                            基板
３                            導光レンズ
３ａ                          入光部
３ａ１，３ａ２                入光面
３ａ３                        反射面
３ｂ                          出光部
３ｂ１                        反射面
３ｂ１ａ                      プリズムカット
３ｂ１ａ１                    稜線
３ｂ１ｂ                      根元側端部
３ｂ２                        出光面
３ｂ２ａ                      根元側端部
３ｂ２ｂ                      先端側端部
３ｂｃ                        境界線
３ｃ                          反射部
３ｃ１，３ｃ２                反射面
３ｄ１，３ｄ２                軸部
３ｄ３                        回転中心
４                            リフレクタ
４ａ１，４ａ２，４ａ３        反射面
４ｂ１，４ｂ２，４ｂ３        反射面
４ｃ１，４ｃ２，４ｃ３        反射面
４ｄ１，４ｄ２，４ｄ３        反射面
４ｅ１，４ｅ２，４ｅ３        反射面
５                            ハウジング
５ａ                          ベース部
５ｂ，５ｃ，５ｄ，５ｅ        壁部
１００                        ＬＥＤ照明装置
【図１】
2013161573.tif 000003
【図２】
2013161573.tif 000004
【図３】
2013161573.tif 000005
【図４】
2013161573.tif 000006
【図５】
2013161573.tif 000007
【図６】
2013161573.tif 000008
【図７】
2013161573.tif 000009
【図８】
2013161573.tif 000010
【図９】
2013161573.tif 000011
【図１０】
2013161573.tif 000012
【図１１】
2013161573.tif 000013
【図１２】
2013161573.tif 000014
【図１３】
2013161573.tif 000015
【図１４】
2013161573.tif 000016
【図１５】
2013161573.tif 000017
【図１６】
2013161573.tif 000018
【図１７】
2013161573.tif 000019
【図１８】
2013161573.tif 000020